(57)【特許請求の範囲】
【請求項１】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り訂正符号化処理を施した信号を送信し、
該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、
該基地局上位装置においては、上記の各基地局からの信号について、それぞれ誤り訂正符号化処理を施したあと、各誤り訂正符号化処理を施した信号について、合成処理を施してから、誤り訂正復号化処理を施すことを
特徴とする、移動通信システムにおけるサイトダイバシティ受信方法。
【請求項２】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り検出符号化、誤り訂正符号化処理を施した信号を送信し、
該移動端末局からの送信信号を該無線回線を介して上記複数の基地局で受信し、上記の各基地局において、それぞれ誤り訂正復号化処理を施すとともに、誤り検出を行なってから、上記の誤り訂正復号化処理を施した信号と誤り検出結果とを、該伝送回線を介して該基地局上位装置に送信し、
該基地局上位装置においては、上記の各基地局から受信した誤り検出結果から、上記の基地局の全てから誤り有情報が送信されてきたと判定された場合に、上記の各基地局からの信号について、それぞれ誤り訂正符号化処理を施したあと、各誤り訂正符号化処理を施した信号について、合成処理を施してから、誤り訂正復号化処理を施すことを
特徴とする、移動通信システムにおけるサイトダイバシティ受信方法。
【請求項３】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り検出符号化、誤り訂正符号化処理を施した信号を送信し、
該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、
該基地局上位装置においては、上記の各基地局から受信した信号より誤り検出を行ない、この誤り検出結果から、上記の基地局の全てから誤り有情報が送信されてきたと判定された場合に、上記の各基地局からの信号について、それぞれ誤り訂正符号化処理を施したあと、各誤り訂正符号化処理を施した信号について、合成処理を施してから、誤り訂正復号化処理を施すことを
特徴とする、移動通信システムにおけるサイトダイバシティ受信方法。
【請求項４】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り検出符号化、誤り訂正符号化処理を施した信号を送信し、
該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、
該基地局上位装置においては、上記の各基地局からの信号について、それぞれ誤り訂正符号化処理を施したあと、各誤り訂正符号化処理を施した信号について、合成処理を施してから、誤り訂正復号化処理を施す一方、この誤り訂正復号化処理を施した信号より誤り検出を行ない、この誤り検出結果から、誤り無が検出された場合に、この誤り訂正復号化処理を施した信号を受信信号として出力することを
特徴とする、移動通信システムにおけるサイトダイバシティ受信方法。
【請求項５】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り訂正符号化処理を施した信号を送信し、
該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、
該基地局上位装置においては、上記の各基地局からの信号について、それぞれ誤り訂正符号化処理を施したあと、各誤り訂正符号化処理を施した信号について、上記の各基地局からの信号より得られた誤り率を反映させた合成処理を施してから、誤り訂正復号化処理を施すことを
特徴とする、移動通信システムにおけるサイトダイバシティ受信方法。
【請求項６】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り訂正符号化処理を施した信号を送信し、
該移動端末局からの送信信号を該無線回線を介して上記複数の基地局で受信し、上記の各基地局において、それぞれフレーム信頼度検出を行なうとともに、誤り訂正復号化処理を施してから、このフレーム信頼度検出結果と誤り訂正復号化処理を施した信号とを、該伝送回線を介して該基地局上位装置に送信し、
該基地局上位装置においては、上記の各基地局からの信号について、それぞれ誤り訂正符号化処理を施したあと、各誤り訂正符号化処理を施した信号について、上記の各基地局から受信されたフレーム信頼度情報を反映させた合成処理を施してから、誤り訂正復号化処理を施すことを
特徴とする、移動通信システムにおけるサイトダイバシティ受信方法。
【請求項７】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り訂正符号化処理を施した信号を送信し、
該移動端末局からの送信信号を該無線回線を介して上記複数の基地局で受信し、上記の各基地局において、それぞれ信頼度検出を行なうとともに、この信頼度検出結果を用いて、軟判定出力を伴う誤り訂正復号化処理を施してから、この軟判定出力を伴う誤り訂正復号化処理を施した信号を、該伝送回線を介して該基地局上位装置に送信し、
該基地局上位装置においては、上記の各基地局からの信号について、該軟判定出力情報を使用して、それぞれ軟判定出力を伴う誤り訂正符号化処理を施したあと、各誤り訂正符号化処理を施した信号について、この誤り訂正符号化処理時に出力される軟判定出力を利用して、合成処理を施してから、誤り訂正復号化処理を施すことを
特徴とする、移動通信システムにおけるサイトダイバシティ受信方法。
【請求項８】
移動端末局と、該移動端末局とそれぞれ無線回線を介して接続される複数の基地局と、これらの基地局とそれぞれ伝送回線を介して接続された基地局上位装置とをそなえた移動通信システムにおいて、
該移動端末局において、誤り検出符号化、誤り訂正符号化処理を施した信号を送信し、
該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、
該基地局上位装置においては、
上記の各基地局から受信した信号より誤り検出を行ない、上記の各基地局より受信したいずれかの信号から誤りが検出されない場合は、該基地局から受信した信号を受信信号として出力する一方、
上記の各基地局より受信した全ての信号から誤りが検出されると、上記の各基地局から受信した信号を合成し、この合成信号より誤り検出を行ない、該合成信号から誤りが検出されない場合は、該合成信号を受信信号として出力する一方、
該合成信号から誤りが検出されると、上記の各基地局からの信号について、それぞれ誤り訂正符号化処理を施したあと、各誤り訂正符号化処理を施した信号について、合成処理を施してから、誤り訂正復号化処理を施すとともに、この誤り訂正復号処理を施した信号より誤り検出を行ない、該誤り訂正復号処理を施した信号より誤りが検出されない場合に、この誤り訂正復号処理を施した信号を受信信号として出力することを
特徴とする、移動通信システムにおけるサイトダイバシティ受信方法。
【請求項９】
該基地局上位装置において、該誤り訂正復号処理を施した信号より誤りが検出されると、該合成信号又は該基地局から受信した信号を受信信号として出力することを
特徴とする、請求項８記載の移動通信システムにおけるサイトダイバシティ受信方法。
【請求項１０】
移動端末局からの誤り訂正符号化処理を施された送信信号についてそれぞれ複数の基地局で誤り訂正復号化処理を施した、誤り訂正復号化信号を受信する、サイトダイバシティ受信方式を採用する移動通信システムにおける基地局上位装置であって、
上記の各基地局からの誤り訂正復号化信号について、それぞれ誤り訂正符号化処理を施した誤り訂正符号化信号を出力する誤り訂正符号化部と、
該誤り訂正符号化部からの該誤り符号化信号について、合成処理を施す合成部と、
該合成部からの合成信号について、誤り訂正復号化処理を施す誤り訂正復号化部とをそなえたことを
特徴とする、サイトダイバシティ受信方式を採用する移動通信システムにおける基地局上位装置。
【請求項１１】
該合成部が、該合成信号のほかに、軟判定結果も出力するように構成されるとともに、
該誤り訂正復号化部が、該合成部からの上記の合成信号及び軟判定結果を用いて、該合成信号について、軟判定復号処理を施すように構成されたことを
特徴とする、請求項１０記載のサイトダイバシティ受信方式を採用する移動通信システムにおける基地局上位装置。
【請求項１２】
移動端末局からの誤り検出符号化、誤り訂正符号化処理を施された送信信号についてそれぞれ複数の基地局で誤り訂正復号化処理を施した誤り訂正復号化信号を受信するとともに、該送信信号についてそれぞれ複数の基地局で誤り検出を行なった結果得られた誤りの有無情報を受信する、サイトダイバシティ受信方式を採用する移動通信システムにおける基地局上位装置であって、
上記の各基地局からの誤り有無情報を受けて、誤り判定処理を施す誤り判定部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、合成処理を施す合成部と、
該合成部からの合成信号について、誤り訂正復号化処理を施す誤り訂正復号化部と、
該誤り判定部で上記の基地局の全てから誤り有情報が送信されてきたと判定された場合に、該誤り訂正復号化部からの出力を受信出力として出力するゲート部とをそなえたことを
特徴とする、サイトダイバシティ受信方式を採用する移動通信システムにおける基地局上位装置。
【請求項１３】
該ゲート部が、該誤り判定部で上記の基地局の全てから誤り有情報が送信されてきたと判定された場合に、該誤り訂正復号化部からの出力を選択する一方、該誤り判定部で上記の基地局の全てから誤り有情報が送信されてきたと判定されない場合には、上記の各基地局からの該誤り訂正復号化信号を選択する選択部として構成されたことを
特徴とする、請求項１２記載のサイトダイバシティ受信方式を採用する移動通信システムにおける基地局上位装置。
【請求項１４】
移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、
上記の各基地局からの該誤り訂正復号化信号についてそれぞれ誤り検出を行なう誤り検出部と、
該誤り検出部からの誤り有無情報を受けて、誤り判定処理を施す誤り判定部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、合成処理を施す合成部と、
該合成部からの合成信号について、誤り訂正復号化処理を施す誤り訂正復号化部と、
該誤り判定部で上記の基地局の全てから誤り有情報が送信されてきたと判定された場合に、該誤り訂正復号化部からの出力を受信出力として出力するゲート部とをそなえたことを
特徴とする、サイトダイバシティ受信方式を採用する移動通信システムにおける基地局上位装置。
【請求項１５】
該ゲート部が、該誤り判定部で上記の基地局の全てから誤り有情報が送信されてきたと判定された場合に、該誤り訂正復号化部からの出力を選択する一方、該誤り判定部で上記の基地局の全てから誤り有情報が送信されてきたと判定されない場合には、上記の各基地局からの該誤り訂正復号化信号を選択する選択部として構成されたことを
特徴とする、請求項１４記載のサイトダイバシティ受信方式を採用する移動通信システムにおける基地局上位装置。
【請求項１６】
移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、
上記の各基地局からの該誤り訂正復号化信号について合成処理を施す第１合成部と、
該第１合成部で合成された信号について誤り検出を行なう誤り検出部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、合成処理を施す第２合成部と、
該第２合成部からの合成信号について、誤り訂正復号化処理を施す誤り訂正復号化部と、
該誤り検出部で該合成信号が誤り有情報を有することが検出された場合に、該誤り訂正復号化部からの出力を受信出力として出力するゲート部とをそなえたことを
特徴とする、サイトダイバシティ受信方式を採用する移動通信システムにおける基地局上位装置。
【請求項１７】
該ゲート部が、該誤り検出部で該合成信号が誤り有情報を有することが検出された場合に、該誤り訂正復号化部からの出力を選択する一方、該誤り検出部で該合成信号が誤り有情報を有することが検出されない場合には、該合成部からの該合成信号を選択する選択部として構成されたことを
特徴とする、請求項１６記載のサイトダイバシティ受信方式を採用する移動通信システムにおける基地局上位装置。
【請求項１８】
移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、合成処理を施す合成部と、
該合成部からの合成信号について、誤り訂正復号化処理を施す誤り訂正復号化部と、
該誤り訂正復号化部からの信号について誤り検出を行なう誤り検出部と、
該誤り検出部で誤り無が検出された場合に、該誤り訂正復号化部からの出力を受信出力として出力するゲート部とをそなえたことを
特徴とする、サイトダイバシティ受信方式を採用する移動通信システムにおける基地局上位装置。
【請求項１９】
該ゲート部が、該誤り検出部で誤り無が検出された場合に、該誤り訂正復号化部からの出力を選択する一方、該誤り検出部で誤り無が検出されない場合には、上記の各基地局からの該誤り訂正復号化信号を選択する選択部として構成されたことを
特徴とする、請求項１８記載のサイトダイバシティ受信方式を採用する移動通信システムにおける基地局上位装置。
【請求項２０】
上記の各基地局からの該誤り訂正復号化信号を合成する合成部をそなえるとともに、
該ゲート部が、該誤り検出部で誤り無が検出された場合に、該誤り訂正復号化部からの出力を選択する一方、該誤り検出部で誤り無が検出されない場合には、該合成部からの信号を選択する選択部として構成されたことを
特徴とする、請求項１８記載のサイトダイバシティ受信方式を採用する移動通信システムにおける基地局上位装置。
【請求項２１】
移動端末局からの誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、
上記の各基地局からの該誤り訂正復号化信号について、それぞれ誤り率を測定する誤り率測定部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、該誤り率測定部で測定された誤り率を反映させて合成処理を施す合成部と、
該合成部からの合成信号について、誤り訂正復号化処理を施す誤り訂正復号化部とをそなえたことを
特徴とする、サイトダイバシティ受信方式を採用する移動通信システムにおける基地局上位装置。
【請求項２２】
移動端末局からの誤り訂正符号化処理を施された送信信号についてそれぞれ複数の基地局で検出したフレーム信頼度情報を受信するとともに、該送信信号についてそれぞれ誤り訂正復号化処理を施した誤り訂正復号化信号を受信する、サイトダイバシティ受信方式を採用する移動通信システムにおける基地局上位装置であって、
上記の各基地局からのフレーム信頼度情報を受信するフレーム信頼度情報受信部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、該フレーム信頼度情報受信部で受信されたフレーム信頼度情報を反映させて合成処理を施す合成部と、
該合成部からの合成信号について、誤り訂正復号化処理を施す誤り訂正復号化部とをそなえたことを
特徴とする、サイトダイバシティ受信方式を採用する移動通信システムにおける基地局上位装置。
【請求項２３】
移動端末局からの誤り訂正符号化処理を施された送信信号についてそれぞれ複数の基地局で軟判定出力を伴う誤り訂正復号化処理を施した誤り訂正復号化信号を受信する、サイトダイバシティ受信方式を採用する移動通信システムにおける基地局上位装置であって、
上記の各基地局からの該誤り訂正復号化信号について、該軟判定出力情報を使用して、それぞれ軟判定出力を伴う誤り訂正符号化処理を施した誤り符号化信号を出力する誤り訂正符号化部と、
該誤り訂正符号化部からの該誤り符号化信号について、この誤り訂正符号化処理時に出力される軟判定出力を利用して、合成処理を施す合成部と、
該合成部からの合成信号について、誤り訂正復号化処理を施す誤り訂正復号化部とをそなえたことを
特徴とする、サイトダイバシティ受信方式を採用する移動通信システムにおける基地局上位装置。
【請求項２４】
移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、
上記の各基地局からの該誤り訂正復号化信号について、合成処理を施す第１合成部と、
上記の各基地局からの該誤り訂正復号化信号について、それぞれ誤り訂正符号化処理を施した誤り符号化信号を出力する誤り訂正符号化部と、
該誤り訂正符号化部からの該誤り符号化信号について、合成処理を施す第２合成部と、
該第２合成部からの合成信号について、誤り訂正復号化処理を施す誤り訂正復号化部と、
上記の各基地局からの受信信号，第１合成部からの合成信号，誤り訂正復号化部からの信号のいずれかを選択する信号選択部と、
上記の各基地局からの該誤り訂正復号化信号についてそれぞれ誤り検出を行なう第１誤り検出部と、
該第１合成部からの合成信号について誤り検出を行なう第２誤り検出部と、
該誤り訂正復号化部からの信号について誤り検出を行なう第３誤り検出部と、
上記の第１誤り検出部，第２誤り検出部及び第３誤り検出部からの検出結果を受けて、まず該第１誤り検出部での検出結果を使用して、上記の各基地局から受信した信号について誤りが検出されるかどうかの判定を行ない、上記の各基地局から受信した信号のいずれかから誤りが検出されない場合は、該基地局から受信した信号を該信号選択部から受信信号として出力させるとともに、上記の各基地局から受信した信号の全てから誤りが検出されると、該第２誤り検出部での検出結果を使用して、該合成信号から誤りが検出されるかどうかの判定を行ない、該合成信号から誤りが検出されない場合は、該合成信号を該信号選択部から受信信号として出力させ、該合成信号から誤りが検出されると、該第３誤り検出部での検出結果を使用して、該誤り訂正復号化部からの信号について誤りが検出されるかどうかの判定を行ない、該誤り訂正復号処理を施した信号より誤りが検出されない場合には、この誤り訂正復号処理を施した信号を該信号選択部から受信信号として出力させるように、該信号選択部での信号切替制御を施す信号切換制御部とをそなえたことを
特徴とする、サイトダイバシティ受信方式を採用する移動通信システムにおける基地局上位装置。
【請求項２５】
該第３誤り検出部において、該誤り訂正復号処理を施した信号より誤りが検出されると、該合成信号又は該基地局から受信した信号を該信号選択部から受信信号として出力させるように、該信号選択部での信号切替制御を施す制御部とをそなえたことを
特徴とする、請求項２４記載のサイトダイバシティ受信方式を採用する移動通信システムにおける基地局上位装置。
【発明の詳細な説明】
【０００１】
（目次）
発明の属する技術分野
従来の技術（図２６〜図２９）
発明が解決しようとする課題（図２８，図２９）
課題を解決するための手段
発明の実施の形態
（ａ）第１実施形態（図１〜図１２）
（ｂ）第２実施形態（図１３，図１４）
（ｃ）第３実施形態（図１５，図１６）
（ｄ）第４実施形態（図１７）
（ｅ）第５実施形態（図１８）
（ｆ）第６実施形態（図１９）
（ｇ）第７実施形態（図２０）
（ｈ）第８実施形態（図２１，図２２）
（ｉ）第９実施形態（図２３，図２４）
（ｊ）第１０実施形態（図２５）
（ｋ）その他
発明の効果
【０００２】
【発明の属する技術分野】
本発明は、移動通信システムにおけるサイトダイバシティ受信方法、サイトダイバシティ受信方式を採用する移動通信システムにおける基地局上位装置に関し、特に、セルラー方式の自動車電話システムや携帯電話システムなどの移動通信システムに用いて好適な、移動通信システムにおけるサイトダイバシティ受信方法、サイトダイバシティ受信方式を採用する移動通信システムにおける基地局上位装置に関する。
【０００３】
【従来の技術】
一般に、セルラー方式の自動車電話システムや携帯電話システムなどの移動通信システムでは、端末局が移動しながら通信を行なうため、基地局と端末局との間の伝播環境が常に変化し続ける。例えば、短かい時間においてはフェージング等により伝播環境が変化し、基地局と端末局との間の通信品質が劣化する。
【０００４】
この対策として代表的なものには、１つの基地局からそれぞれ異なる伝搬路を通じて受信される複数の信号を合成（あるいは選択）して受信信号品質を改善する空間ダイバシティがある。
ところが、この空間ダイバシティでは、比較的長い時間でみた場合には、端末局がビル等の障害物の影に入ってしまったりして、１つの基地局との信号の送受が困難になると、その効果が期待できないので、有効な解決策とはいえない。そこで、近年では複数の基地局と同時に信号の送受を行なうサイトダイバシティ方式が移動通信システムに採用されるようになってきている。
【０００５】
具体的に、このサイトダイバシティ方式では、１局の端末局からの信号（データ）を複数の基地局で受信し、各基地局がそれぞれ受信したデータを加工して交換局（基地局上位装置）へ伝送し、その交換局において、受信した複数のデータについての選択、又は合成が行なわれるようになっている。
図２６はサイトダイバシティ方式を適用した端末局と基地局との間における通信を説明するための概念図であるが、この図２６において、１０１，１０２は基地局であり、１０３は基地局１０１の通信エリアに存在するビル（障害物）、１０４は端末局である。
【０００６】
ここで、例えば、端末局１０４が、基地局１０１と通信を行なっていながら移動し、ビル１０３の影に入ってしまった場合、端末局１０４はビル１０３のために基地局１０１との信号の送受がスムーズに行なえなくなるが、サイトダイバシティ方式では、基地局１０１のエリアに隣接する基地局１０２も端末局１０４からの信号を受信しているので、基地局１０２が基地局１０１に代わって端末局１０４との通信を行なうことができ、端末局１０４は伝播環境（ビル１０３等）に影響されることなく、高品質な通信を行なえる。
【０００７】
また、このサイトダイバシティ方式では、端末局１０４からの信号を複数の基地局で受信するので、網側での通信品質の維持に最低限必要な端末局１０４の送信レベル（パワー）が低減され、端末局１０４の低消費電力化を実現することができる。さらに、このサイトダイバシティ方式は、ＣＤＭＡ（Code Division Multiple Access ）方式を採用した移動通信システムに適用すれば、干渉電力を低減することが期待できるので、加入者容量を増大させることが可能になる。即ち、ＣＤＭＡ方式にはサイトダイバシティ方式を適用することは非常に有効である。
【０００８】
図２７はＣＤＭＡ方式とサイトダイバシティ方式とを適用した移動通信システムの一例を示すブロック図であるが、この図２７に示す移動通信システム１１０は、端末局１１１，基地局１１２−１〜１１２−ｎ（ｎは自然数）及び交換局１１３をそなえて構成されている。
ここで、一般に、端末局１１１と基地局１１２−１〜１１２−ｎとの間の通信においては、回線品質の悪い無線回線が用いられ（回線誤り発生あり）、基地局１１２−１〜１１２−ｎと交換局１１３との間の通信においては、回線品質の良い有線回線が用いられる（回線誤りなし）。このため、端末局１１１と基地局１１２−１〜１１２−ｎとの間の回線品質を上げるために、このようなシステムでは、誤り訂正符号と呼ばれる手法が適用される。この手法には、例えば下記項目（１），（２）に示すようなものが考えられる。
【０００９】
（１）手法１
図２８に示すように、手法１では、端末局１１１に誤り訂正符号器（ＥＮＣ:Encoder）１１１ａを設け、基地局１１２−１〜１１２−ｎにそれぞれ誤り訂正復号器（ＤＥＣ:Decoder）１１２ａ−１〜１１２ａ−ｎを設け、さらに、交換局１１３に基地局１１２−１〜１１２−ｎの誤り訂正復号器１１２ａ−１〜１１２ａ−ｎで復号された信号を選択する選択部１２３ａを設ける。
【００１０】
これにより、この図２８に示す移動通信システム１１０では、端末局１１１の誤り訂正符号器１１１ａで誤り訂正符号化された信号無線回線を通じて各基地局１２２−１〜１２２−ｎで受信され、基地局１１２−１〜１１２−ｎの誤り訂正復号器１１２ａ−１〜１１２ａ−ｎにおいて誤り訂正復号化が施されたのち、各復号信号が有線回線を通じて交換局１１３に送信される。交換局１１３では、受信した各復号信号のうち品質の良い（劣化の少ない）ものを受信信号として選択する。
【００１１】
なお、ここでは、各誤り訂正復号器１１２ａ−１〜１１２ａ−ｎからの復号信号のいずれかを選択しているが、交換局１１３において、選択部１１３ａの代わりに合成部が設けられ、この合成部において各誤り訂正復号器１１２ａ−１〜１１２ａ−ｎからの各復号信号が合成される場合もある。
（２）手法２
次に、図２９に示すように、手法２では、端末局１１１に誤り訂正符号器１１１ａを設け、交換局１１３に合成部１２５ａ及び誤り訂正復号器（ＤＥＣ）１２５ｂを設ける。
【００１２】
これにより、この図２９に示す移動通信システム１１０では、端末局１１１の誤り訂正符号器１１１ａが無線回線を通じて各基地局１１２−１〜１１２−ｎで受信され、各基地局１１２−１〜１１２−ｎでは誤り訂正復号を施されずにそのまま有線回線を通じて交換局１１３に送信される。交換局１１３では、各基地局１１２−１〜１１２−ｎから受信した信号（誤り訂正符号）の合成を行ない、誤り訂正復号化装置１２５ｂにて誤り訂正復号化処理を施す。なお、ここでは交換局１１３の合成部１２５ａにおいて各基地局１１２−１〜１１２−ｎからの信号を合成しているが、選択される場合もある。
【００１３】
また、上記の手法（２）における基地局１１２−１〜１１２−ｎでは、端末局１１１からの信号を受信した際に、その受信レベル等の軟判定情報を取得して交換局１１３に受信信号とともにその軟判定情報を送信することも可能である。この場合、この交換局１１３では各基地局１１２−１〜１１２−ｎからの信号を軟判定情報を利用して合成（あるいは選択）することができるので、より品質の良い受信信号を得ることができる。
【００１４】
【発明が解決しようとする課題】
しかしながら、まず、上記の手法１（図２８に示す移動通信システム１１０）では、端末局１１１の誤り訂正符号化器１１１ａで誤り訂正符号化された信号を基地局１１２−１〜１１２−ｎにおいて誤り訂正復号化した後に交換局１１３においてデータの選択（あるいは合成）を行なうため、例えば、復号化処理された信号が誤りの多い信号である場合には、何れの信号を選択（あるいは合成）しても品質の良好なデータを得ることができず、サイトダイバシティ方式と誤り訂正符号化方式により期待される効果が犠牲になってしまうという課題がある。
【００１５】
即ち、誤り訂正復号には、誤りの少ない信号について信号品質の改善効果が大きいが、誤りの多い信号についてはあまりこの改善効果が期待できず、誤りが非常に多い信号については、さらに誤りを増大させてしまうという特徴があるため、復号化処理された信号が全て誤りの多い信号である場合には、交換局１１３では結果的に誤りの多い信号を選択してしまうことになるのである。また、誤り訂正復号器１１２ａ−１〜１１２ａ−ｎからの各復号信号を交換局１１３において合成する場合は、各復号信号に誤りの多い信号が存在すると、品質の良好な信号が含まれていても、その誤りの多い信号のために品質の良好な信号まで品質を劣化させることになるので、合成信号としては誤りの多い信号しか得られなくなる可能性が非常に高い。
【００１６】
一方、上記の手法２（図２９に示すＣＤＭＡ通信システム１１０）では、交換局１１３においてデータの合成を行なった後に復号化処理を行なうため、基地局１１２−１〜１１２−ｎと交換局１１３との間の有線回線における信号流量が増大してしまう。例えば、ここで使用している誤り訂正符号の符号化率を１／２とすると、この手法２では基地局１１２−１〜１１２−ｎと交換局１１３との間の信号流量は、上記の手法１に比べて２倍となる。
【００１７】
従って、この手法２では、少なくとも手法１に比べて、基地局１１２−１〜１１２−ｎと交換局１１３との間の有線回線の伝送容量を増やさなくてはならず、非常にコストがかかってしまうという課題がある。
さらに、この手法２では、交換局１１３において、基地局１１２−１〜１１２−ｎから誤り訂正符号とともに軟判定情報を利用して各誤り訂正符号の合成（あるいは選択）を行なうことにより、受信信号の誤り率を改善することができるが、この場合は、さらに基地局１１２−１〜１１２−ｎと交換局１１３との間の信号流量が増大してしまう。
【００１８】
例えば、上記の符号化率を変えずに（１／２のまま）軟判定情報を付加する場合、軟判定情報が１ビット当たり８ビット付加されるとすると、この場合の基地局１１２−１〜１１２−ｎと交換局１１３との間の信号流量は上記手法１に比べて８倍となってしまう。従って、いずれにせよこの方法２は、コストの面で非現実的である。
【００１９】
本発明は、このように、サイトダイバシティ方式と誤り訂正符号化方式による効果を最大限に生かしながら、基地局と基地局上位装置との間の信号流量を増大させないという相反する課題を解決すべく創案されたもので、基地局上位装置において誤り訂正符号化，合成及び復号化を行なうことにより、基地局，基地局上位装置間の信号流量を増大させることなく受信信号の誤り率の改善を行なえるようにした、移動通信システムにおけるサイトダイバシティ受信方法、サイトダイバシティ受信方式を採用する移動通信システムにおける基地局上位装置を提供することを目的とする。
【００２０】
【課題を解決するための手段】
このため、請求項１記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り訂正符号化処理を施した信号を送信し、該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、該基地局上位装置においては、上記の各基地局からの信号について、それぞれ誤り訂正符号化処理を施したあと、各誤り訂正符号化処理を施した信号について、合成処理を施してから、誤り訂正復号化処理を施すことを特徴としている。
【００２１】
また、請求項２記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り検出符号化、誤り訂正符号化処理を施した信号を送信し、該移動端末局からの送信信号を該無線回線を介して上記複数の基地局で受信し、上記の各基地局において、それぞれ誤り訂正復号化処理を施すとともに、誤り検出を行なってから、上記の誤り訂正復号化処理を施した信号と誤り検出結果とを、該伝送回線を介して該基地局上位装置に送信し、該基地局上位装置においては、上記の各基地局から受信した誤り検出結果から、上記の基地局の全てから誤り有情報が送信されてきたと判定された場合に、上記の各基地局からの信号について、それぞれ誤り訂正符号化処理を施したあと、各誤り訂正符号化処理を施した信号について、合成処理を施してから、誤り訂正復号化処理を施すことを特徴としている。
【００２２】
さらに、請求項３記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り検出符号化、誤り訂正符号化処理を施した信号を送信し、該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、該基地局上位装置においては、上記の各基地局から受信した信号より誤り検出を行ない、この誤り検出結果から、上記の基地局の全てから誤り有情報が送信されてきたと判定された場合に、上記の各基地局からの信号について、それぞれ誤り訂正符号化処理を施したあと、各誤り訂正符号化処理を施した信号について、合成処理を施してから、誤り訂正復号化処理を施すことを特徴としている。
【００２３】
また、請求項４記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り検出符号化、誤り訂正符号化処理を施した信号を送信し、該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、該基地局上位装置においては、上記の各基地局からの信号について、それぞれ誤り訂正符号化処理を施したあと、各誤り訂正符号化処理を施した信号について、合成処理を施してから、誤り訂正復号化処理を施す一方、この誤り訂正復号化処理を施した信号より誤り検出を行ない、この誤り検出結果から、誤り無が検出された場合に、この誤り訂正復号化処理を施した信号を受信信号として出力することを特徴としている。
【００２４】
さらに、請求項５記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り訂正符号化処理を施した信号を送信し、該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、該基地局上位装置においては、上記の各基地局からの信号について、それぞれ誤り訂正符号化処理を施したあと、各誤り訂正符号化処理を施した信号について、上記の各基地局からの信号より得られた誤り率を反映させた合成処理を施してから、誤り訂正復号化処理を施すことを特徴としている。
【００２５】
また、請求項６記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り訂正符号化処理を施した信号を送信し、該移動端末局からの送信信号を該無線回線を介して上記複数の基地局で受信し、上記の各基地局において、それぞれフレーム信頼度検出を行なうとともに、誤り訂正復号化処理を施してから、このフレーム信頼度検出結果と誤り訂正復号化処理を施した信号とを、該伝送回線を介して該基地局上位装置に送信し、該基地局上位装置においては、上記の各基地局からの信号について、それぞれ誤り訂正符号化処理を施したあと、各誤り訂正符号化処理を施した信号について、上記の各基地局から受信されたフレーム信頼度情報を反映させた合成処理を施してから、誤り訂正復号化処理を施すことを特徴としている。
【００２６】
さらに、請求項７記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り訂正符号化処理を施した信号を送信し、該移動端末局からの送信信号を該無線回線を介して上記複数の基地局で受信し、上記の各基地局において、それぞれ信頼度検出を行なうとともに、この信頼度検出結果を用いて、軟判定出力を伴う誤り訂正復号化処理を施してから、この軟判定出力を伴う誤り訂正復号化処理を施した信号を、該伝送回線を介して該基地局上位装置に送信し、該基地局上位装置においては、上記の各基地局からの信号について、該軟判定出力情報を使用して、それぞれ軟判定出力を伴う誤り訂正符号化処理を施したあと、各誤り訂正符号化処理を施した信号について、この誤り訂正符号化処理時に出力される軟判定出力を利用して、合成処理を施してから、誤り訂正復号化処理を施すことを特徴としている。
【００２７】
また、請求項８記載の本発明の移動通信システムにおけるサイトダイバシティ受信方法は、移動端末局と、該移動端末局とそれぞれ無線回線を介して接続される複数の基地局と、これらの基地局とそれぞれ伝送回線を介して接続された基地局上位装置とをそなえた移動通信システムにおいて、該移動端末局において、誤り検出符号化、誤り訂正符号化処理を施した信号を送信し、該移動端末局からの送信信号を該無線回線を介して上記複数の基地局で受信し、上記の各基地局において、それぞれ誤り訂正復号化処理を施してから、この誤り訂正復号化処理を施した信号を、該伝送回線を介して該基地局上位装置に送信し、該基地局上位装置においては、上記の各基地局から受信した信号より誤り検出を行ない、上記の各基地局より受信したいずれかの信号から誤りが検出されない場合は、該基地局から受信した信号を受信信号として出力する一方、上記の各基地局より受信した全ての信号から誤りが検出されると、上記の各基地局から受信した信号を合成し、この合成信号より誤り検出を行ない、該合成信号から誤りが検出されない場合は、該合成信号を受信信号として出力する一方、該合成信号から誤りが検出されると、上記の各基地局からの信号について、それぞれ誤り訂正符号化処理を施したあと、各誤り訂正符号化処理を施した信号について、合成処理を施してから、誤り訂正復号化処理を施すとともに、この誤り訂正復号処理を施した信号より誤り検出を行ない、該誤り訂正復号処理を施した信号より誤りが検出されない場合に、この誤り訂正復号処理を施した信号を受信信号として出力することを特徴としている。
【００２８】
さらに、請求項９記載の本発明の移動通信システムにおけるサイトダイバシティ受信方法は、上記請求項８記載の受信方法において、該基地局上位装置において、該誤り訂正復号処理を施した信号より誤りが検出されると、該合成信号又は該基地局から受信した信号を受信信号として出力することを特徴としている。
また、請求項１０記載の本発明のサイトダイバシティ受信方式を採用する移動通信システムにおける基地局上位装置は、移動端末局からの誤り訂正符号化処理を施された送信信号についてそれぞれ複数の基地局で誤り訂正復号化処理を施した、誤り訂正復号化信号を受信する、サイトダイバシティ受信方式を採用する移動通信システムにおける基地局上位装置であって、上記の各基地局からの誤り訂正復号化信号について、それぞれ誤り訂正符号化処理を施した誤り訂正符号化信号を出力する誤り訂正符号化部と、該誤り訂正符号化部からの該誤り符号化信号について、合成処理を施す合成部と、該合成部からの合成信号について、誤り訂正復号化処理を施す誤り訂正復号化部とをそなえたことを特徴としている。
【００２９】
さらに、請求項１１記載の本発明のサイトダイバシティ受信方式を採用する移動通信システムにおける基地局上位装置は、上記請求項１０記載の構成において、該合成部が、該合成信号のほかに、軟判定結果も出力するように構成されるとともに、該誤り訂正復号化部が、該合成部からの上記の合成信号及び軟判定結果を用いて、該合成信号について、軟判定復号処理を施すように構成されたことを特徴としている。
【００３０】
また、請求項１２記載の本発明のサイトダイバシティ受信方式を採用する移動通信システムにおける基地局上位装置は、移動端末局からの誤り検出符号化、誤り訂正符号化処理を施された送信信号についてそれぞれ複数の基地局で誤り訂正復号化処理を施した誤り訂正復号化信号を受信するとともに、該送信信号についてそれぞれ複数の基地局で誤り検出を行なった結果得られた誤りの有無情報を受信する、サイトダイバシティ受信方式を採用する移動通信システムにおける基地局上位装置であって、上記の各基地局からの誤り有無情報を受けて、誤り判定処理を施す誤り判定部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、合成処理を施す合成部と、該合成部からの合成信号について、誤り訂正復号化処理を施す誤り訂正復号化部と、該誤り判定部で上記の基地局の全てから誤り有情報が送信されてきたと判定された場合に、該誤り訂正復号化部からの出力を受信出力として出力するゲート部とをそなえたことを特徴としている。
【００３１】
さらに、請求項１３記載の本発明のサイトダイバシティ受信方式を採用する移動通信システムにおける基地局上位装置は、上記請求項１２記載の構成において、該ゲート部が、該誤り判定部で上記の基地局の全てから誤り有情報が送信されてきたと判定された場合に、該誤り訂正復号化部からの出力を選択する一方、該誤り判定部で上記の基地局の全てから誤り有情報が送信されてきたと判定されない場合には、上記の各基地局からの該誤り訂正復号化信号を選択する選択部として構成されたことを特徴としている。
【００３２】
また、請求項１４記載の本発明のサイトダイバシティ受信方式を採用する移動通信システムにおける基地局上位装置は、移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、上記の各基地局からの該誤り訂正復号化信号についてそれぞれ誤り検出を行なう誤り検出部と、該誤り検出部からの誤り有無情報を受けて、誤り判定処理を施す誤り判定部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、合成処理を施す合成部と、該合成部からの合成信号について、誤り訂正復号化処理を施す誤り訂正復号化部と、該誤り判定部で上記の基地局の全てから誤り有情報が送信されてきたと判定された場合に、該誤り訂正復号化部からの出力を受信出力として出力するゲート部とをそなえたことを特徴としている。
【００３３】
さらに、請求項１５記載の本発明のサイトダイバシティ受信方式を採用する移動通信システムにおける基地局上位装置は、上記請求項１４記載の構成において、該ゲート部が、該誤り判定部で上記の基地局の全てから誤り有情報が送信されてきたと判定された場合に、該誤り訂正復号化部からの出力を選択する一方、該誤り判定部で上記の基地局の全てから誤り有情報が送信されてきたと判定されない場合には、上記の各基地局からの該誤り訂正復号化信号を選択する選択部として構成されたことを特徴としている。
【００３４】
また、請求項１６記載の本発明のサイトダイバシティ受信方式を採用する移動通信システムにおける基地局上位装置は、移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、上記の各基地局からの該誤り訂正復号化信号について合成処理を施す第１合成部と、該第１合成部で合成された信号について誤り検出を行なう誤り検出部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、合成処理を施す第２合成部と、該第２合成部からの合成信号について、誤り訂正復号化処理を施す誤り訂正復号化部と、該誤り検出部で該合成信号が誤り有情報を有することが検出された場合に、該誤り訂正復号化部からの出力を受信出力として出力するゲート部とをそなえたことを特徴としている。
【００３５】
さらに、請求項１７記載の本発明のサイトダイバシティ受信方式を採用する移動通信システムにおける基地局上位装置は、上記請求項１６記載の構成において、該ゲート部が、該誤り検出部で該合成信号が誤り有情報を有することが検出された場合に、該誤り訂正復号化部からの出力を選択する一方、該誤り検出部で該合成信号が誤り有情報を有することが検出されない場合には、該合成部からの該合成信号を選択する選択部として構成されたことを特徴としている。
【００３６】
また、請求項１８記載の本発明のサイトダイバシティ受信方式を採用する移動通信システムにおける基地局上位装置は、移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、合成処理を施す合成部と、該合成部からの合成信号について、誤り訂正復号化処理を施す誤り訂正復号化部と、該誤り訂正復号化部からの信号について誤り検出を行なう誤り検出部と、該誤り検出部で誤り無が検出された場合に、該誤り訂正復号化部からの出力を受信出力として出力するゲート部とをそなえたことを特徴としている。
【００３７】
さらに、請求項１９記載の本発明のサイトダイバシティ受信方式を採用する移動通信システムにおける基地局上位装置は、上記請求項１８記載の構成において、該ゲート部が、該誤り検出部で誤り無が検出された場合に、該誤り訂正復号化部からの出力を選択する一方、該誤り検出部で誤り無が検出されない場合には、上記の各基地局からの該誤り訂正復号化信号を選択する選択部として構成されたことを特徴としている。
【００３８】
また、請求項２０記載の本発明のサイトダイバシティ受信方式を採用する移動通信システムにおける基地局上位装置は、上記請求項１８記載の構成において、上記の各基地局からの該誤り訂正復号化信号を合成する合成部をそなえるとともに、該ゲート部が、該誤り判定部で誤り無が検出された場合に、該誤り訂正復号化部からの出力を選択する一方、該誤り判定部で誤り無が検出されない場合には、該合成部からの信号を選択する選択部として構成されたことを特徴としている。
【００３９】
さらに、請求項２１記載の本発明のサイトダイバシティ受信方式を採用する移動通信システムにおける基地局上位装置は、移動端末局からの誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、上記の各基地局からの該誤り訂正復号化信号について、それぞれ誤り率を測定する誤り率測定部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、該誤り率測定部で測定された誤り率を反映させて合成処理を施す合成部と、該合成部からの合成信号について、誤り訂正復号化処理を施す誤り訂正復号化部とをそなえたことを特徴としている。
【００４０】
また、請求項２２記載の本発明のサイトダイバシティ受信方式を採用する移動通信システムにおける基地局上位装置は、移動端末局からの誤り訂正符号化処理を施された送信信号についてそれぞれ複数の基地局で検出したフレーム信頼度情報を受信するとともに、該送信信号についてそれぞれ誤り訂正復号化処理を施した誤り訂正復号化信号を受信する、サイトダイバシティ受信方式を採用する移動通信システムにおける基地局上位装置であって、上記の各基地局からのフレーム信頼度情報を受信するフレーム信頼度情報受信部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、該フレーム信頼度情報受信部で受信されたフレーム信頼度情報を反映させて合成処理を施す合成部と、該合成部からの合成信号について、誤り訂正復号化処理を施す誤り訂正復号化部とをそなえたことを特徴としている。
【００４１】
さらに、請求項２３記載の本発明のサイトダイバシティ受信方式を採用する移動通信システムにおける基地局上位装置は、移動端末局からの誤り訂正符号化処理を施された送信信号についてそれぞれ複数の基地局で軟判定出力を伴う誤り訂正復号化処理を施した誤り訂正復号化信号を受信する、サイトダイバシティ受信方式を採用する移動通信システムにおける基地局上位装置であって、上記の各基地局からの該誤り訂正復号化信号について、該軟判定出力情報を使用して、それぞれ軟判定出力を伴う誤り訂正符号化処理を施した誤り符号化信号を出力する誤り訂正符号化部と、該誤り訂正符号化部からの該誤り符号化信号について、この誤り訂正符号化処理時に出力される軟判定出力を利用して、合成処理を施す合成部と、該合成部からの合成信号について、誤り訂正復号化処理を施す誤り訂正復号化部とをそなえたことを特徴としている。
【００４２】
また、請求項２４記載の本発明のサイトダイバシティ受信方式を採用する移動通信システムにおける基地局上位装置は、移動端末局からの誤り検出符号化、誤り訂正符号化処理を施された送信信号についてそれぞれ複数の基地局で誤り訂正復号化処理を施した誤り訂正復号化信号を受信する、サイトダイバシティ受信方式を採用する移動通信システムにおける基地局上位装置であって、上記の各基地局からの該誤り訂正復号化信号について、合成処理を施す第１合成部と、上記の各基地局からの該誤り訂正復号化信号について、それぞれ誤り訂正符号化処理を施した誤り符号化信号を出力する誤り訂正符号化部と、該誤り訂正符号化部からの該誤り符号化信号について、合成処理を施す第２合成部と、該第２合成部からの合成信号について、誤り訂正復号化処理を施す誤り訂正復号化部と、上記の各基地局からの受信信号，第１合成部からの合成信号，誤り訂正復号化部からの信号のいずれかを選択する信号選択部と、上記の各基地局からの該誤り訂正復号化信号についてそれぞれ誤り検出を行なう第１誤り検出部と、該第１合成部からの合成信号について誤り検出を行なう第２誤り検出部と、該誤り訂正復号化部からの信号について誤り検出を行なう第３誤り検出部と、上記の第１誤り検出部，第２誤り検出部及び第３誤り検出部からの検出結果を受けて、まず該第１誤り検出部での検出結果を使用して、上記の各基地局から受信した信号について誤りが検出されるかどうかの判定を行ない、上記の各基地局から受信した信号のいずれかから誤りが検出されない場合は、該基地局から受信した信号を該信号選択部から受信信号として出力させるとともに、上記の各基地局から受信した信号の全てから誤りが検出されると、該第２誤り検出部での検出結果を使用して、該合成信号から誤りが検出されるかどうかの判定を行ない、該合成信号から誤りが検出されない場合は、該合成信号を該信号選択部から受信信号として出力させ、該合成信号から誤りが検出されると、該第３誤り検出部での検出結果を使用して、該誤り訂正復号化部からの信号について誤りが検出されるかどうかの判定を行ない、該誤り訂正復号処理を施した信号より誤りが検出されない場合には、この誤り訂正復号処理を施した信号を該信号選択部から受信信号として出力させるように、該信号選択部での信号切替制御を施す制御部とをそなえたことを特徴としている。
【００４３】
さらに、請求項２５記載の本発明のサイトダイバシティ受信方式を採用する移動通信システムにおける基地局上位装置は、上記請求項２４記載の構成において、該第３誤り検出部において、該誤り訂正復号処理を施した信号より誤りが検出されると、該合成信号又は該基地局から受信した信号を該信号選択部から受信信号として出力させるように、該信号選択部での信号切替制御を施す制御部とをそなえたことを特徴としている。
【００４４】
【発明の実施の形態】
以下、図面を参照して本発明の実施の形態を説明する。
（ａ）第１実施形態の説明
図１は本発明の第１実施形態にかかる移動通信システムを示すブロック図で、この図１に示すように、本移動通信システムは、端末局（移動端末局）１と、端末局１とそれぞれ無線回線８を介して接続される（通信しうる）複数の基地局２−１〜２−ｎ（ｎは自然数）と、これらの基地局２−１〜２−ｎとそれぞれ伝送回線（有線回線）９を介して接続された交換局３とをそなえて構成されている。なお、図２はｎ＝３として本システム内に３つの基地局２−１〜２−３が存在する場合を示しており、以下では基本的に、このようにｎ＝３の場合を考える。
【００４５】
また、この交換局（基地局上位装置）３は、移動交換局あるいは基地局制御局に相当するもので、第１実施形態及び以下に示す各実施形態では、これらを総称し交換局として詳述するものとする。
そして、この図２に示すように、端末局１には、例えば、データ発生装置１０，畳み込み符号化装置１１，フレーム生成装置１２及び送信装置１３が設けられている。ここで、データ発生装置１０は端末局１において送信すべきデータを発生させるものであり、畳み込み符号化装置（ＥＮＣ；誤り訂正符号化装置）１１は送信すべきデータに畳み込み符号化処理（誤り訂正符号化処理）を施すもので、予め基地局２−１〜２−３と打ち合わせておいた方式で畳み込み符号化を行なうようになっている。
【００４６】
具体的には、例えばデータ発生装置１０で発生したデータが（“１”，“１”，“０”，“０”）であった場合、畳み込み符号化装置１１では、そのデータを畳み込み符号化することにより、符号化データとして（“１”，“１”，“１”，“０”，“１”，“０”，“１”，“１”）を得るようになっている。つまり、データ発生装置１０で発生した図４（ａ）に示すようなデータは、畳み込み符号化装置１１によって、図４（ｂ）に示すように、そのデータ量が２倍になるようになっている。
【００４７】
また、フレーム生成装置１２は、畳み込み符号化装置１１において符号化され符号化データを予め交換局３と打ち合わせておいた所定のフレームフォーマットに挿入するもので、ここでは、例えば図４（ｃ）に示すように、畳み込み符号化装置１１からの符号化データにオーバーヘッドを付与することにより所定のフレームフォーマットが形成されるようになっている。送信装置１３はフレーム生成装置１２で生成されたフレームフォーマットを無線回線８を通じて基地局２−１〜２−３に送信するものである。
【００４８】
一方、基地局２−１〜２−３は、それぞれ、端末局１からのデータを受信して交換局３へ送信するためのデータ処理を行なうもので、図２では、受信装置２１，フレーム分解装置２２，畳み込み復号化装置（ＤＥＣ）２３，フレーム生成装置２４及び送信装置２５がそれぞれ設けられている。
ここで、受信装置２１はそれぞれ端末局１からの出力（所定のフレームフォーマット）を受信するもので、例えば図４（ｄ）に示すように、オーバーヘッドを有するフレームフォーマットを後段のフレーム分解装置２２へ出力するようになっている。
【００４９】
また、フレーム分解装置２２は、例えば図４（ｅ）に示すように、受信したフレームフォーマットからオーバーヘッドを取り外して符号化データを抽出するものであり、畳み込み復号化装置（ＤＥＣ）２３はデータを端末局１と打ち合わせておいた方式（端末局１側で使用した畳み込み符号化方式に応じた方式）で畳み込み復号化処理（誤り訂正復号化処理）を施すものである。
【００５０】
さらに、フレーム生成装置２４は、この畳み込み復号化装置２３からの復号化データ〔復号結果：図４（ｆ）参照〕を交換局３と打ち合わせておいた所定（例えば、有線回線９用）のフレームフォーマットに挿入するもので、本実施形態では、例えば、図４（ｇ）に示すように、上記復号データにオーバーヘッドとフレームナンバーとを付与することによって、所定のフレームフォーマットが形成されるようになっている。
【００５１】
送信装置２５は、このフレーム生成装置２４で生成されたフレームフォーマットを有線回線９を通じて交換局３に送信するものである。
つまり、上記の各基地局２−１〜２−３は、端末局１からの送信信号を無線回線８を介して受信し、それぞれに畳み込み復号化処理を施してから、この畳み込み復号化処理を施した信号を有線回線９を介して交換局３に送信するようになっているのである。
【００５２】
次に、上記の交換局３は、基地局２−１〜２−３からのデータをそれぞれ受信し所要の処理するもので、ここでは、上述のごとく端末局１からの畳み込み符号化処理を施された送信信号についてそれぞれ複数の基地局２−１〜２−３で畳み込み復号化処理を施した、畳み込み復号化信号を受信するようになっている。
そして、この交換局３には、図３に示すように、受信装置３１，フレーム分解装置３２，遅延装置３３，畳み込み符号化装置（ＥＮＣ）３４，合成装置３５，畳み込み復号化装置（ＤＥＣ）３６及び制御部６０が設けられている。ここで、受信装置３１は基地局２−１〜２−３からのデータ（畳み込み復号化信号）を受信するもので、この受信装置３１では、上述したように、図４（ｈ）に示すように復号化データにオーバーヘッド及びフレームナンバーが付与されたフレームフォーマットを受信するようになっている。
【００５３】
また、フレーム分解装置３２は、この受信装置３１にて受信したフレームフォーマットから復号化データとフレームナンバーとを抽出するもので、このために、データ抽出部３２０及びフレームナンバー抽出部３２１を有しており、データ抽出部３２０において、図４（ｉ）に示すように、上記のフレームフォーマットから復号化データが抽出され、フレームナンバー抽出部３２１において図４（ｊ）に示すように上記のフレームフォーマットからフレームナンバーが抽出（取得）されるようになっている。なお、このようにフレームナンバーを抽出することにより、基地局２−１〜２−３から非同期に送られてくる信号についても同一のフレームナンバーを有するものかを確認して確実に同期をとることができるようになっている。
【００５４】
さらに、各遅延装置３３は、各畳み込み符号化装置３４への復号化データがそれぞれ同じフレームナンバーを付与されていたものとなるよう対応するデータ抽出部３２０からの復号化データをそれぞれ所定時間遅延して、各基地局２−１〜２−３からの信号遅延の補正を行なうもので、各遅延装置３３での遅延時間は各フレームナンバーに基づいて制御部６０によって制御されるようになっている。
【００５５】
また、畳み込み符号化装置（ＥＮＣ；誤り訂正符号化部）３４は、各基地局２−１〜２−３からの畳み込み復号化信号（誤り訂正復号化信号）について、それぞれ畳み込み符号化処理を施した畳み込み符号化信号〔図４（ｋ）参照〕を出力するものである。つまり、この交換局３では、基地局２−１〜２−３からの畳み込み復号化信号を畳み込み符号化装置３４にて再符号化するようになっている。
【００５６】
このため、具体的に、例えば、畳み込み符号化装置３４は、図５に示すように、排他的論理和演算器３４０ａ，３４０ｂ，シフトレジスタ３４１，３４２，３４３を有して構成され、符号化率（Ｒ）＝１／２，拘束長（ｋ）＝３とし、シフトレジスタ３４１，３４２及び３４３に予め設定される“１”，“Ｄ”及び“Ｄ2 ”の各値を用いて、排他的論理和演算器３４０ａ，３４０ｂにてそれぞれｇ0 ＝１＋Ｄ2 ，ｇ 1＝１＋Ｄ＋Ｄ2 なる演算を行なうことによって、情報１ビットの入力に対応して符号化信号２ビット（ｇ0 ，ｇ 1）を得るようになっている。
【００５７】
さらに、合成装置（合成部）３５は、上記の畳み込み符号化装置３４からの畳み込み符号化信号について、本実施形態では、合成処理を施すもので、合成信号のほかに、軟判定結果も出力しうるように構成されている。この場合、後述する畳み込み復号化装置３６では、合成装置３５からの合成信号及び軟判定結果を用いて、この合成信号についての軟判定復号化処理を施すことが可能になる。
【００５８】
つまり、この合成装置３５には、例えば、図６に示すように、多数決判定部３５０及び軟判定部３５１が設けられている。
ここで、多数決判定部３５０は、入力信号の多数決をとり、そのうちの入力数の多い値を出力するもので、例えば、図７（ａ）に示すように、３つの入力信号（入力１，２，３）のうち、“１”か“０”かの信号のうちの入力数の多い値の方を出力するようになっている（即ち、３つの入力が“１”，“１”，“０”がであれば“１”を出力し、３つの入力が“１”，“０”，“０”であれば“０”を出力する。
【００５９】
一方、軟判定部３５１は、多数決判定を行なった上で、そのうちの確率の高い方の信号における値を出力するもので、例えば、図７（ｂ）に示すように、入力された信号が全て同じであれば“１”、３つの信号のうち、２つの信号が同じであれば、“０．６”を出力するようになっている。つまり、この軟判定部３５１による軟判定結果により、多数決判定の結果の信頼度を向上させることができるようになっているのである。
【００６０】
なお、２局合成装置の場合（２つの基地局からの信号を合成する場合）においては、例えば、図７（ｃ）に示すように、各入力信号が異なる場合（“１”と“０”の場合）、そのときの信頼度は５０％であるため、この入力信号の判定は消失ビット“＊”として出力されるようになっている。
次に、畳み込み復号化装置（ＤＥＣ；誤り訂正復号化部）３６は、この合成装置３５からの合成信号について、畳み込み復号化処理を施すもので、合成装置３５が軟判定結果も出力するときには、軟判定結果を利用して合成信号について軟判定復号化処理を施すようになっている。
【００６１】
ここで、この畳み込み符号化装置３４における再符号化は、受信信号を基地局２−１〜２−３での畳み込み復号化信号２３による復号過程の途中の状態に戻すのに等しいので、これによる誤りの拡大は発生しない。つまり、畳み込み符号化装置３４から出力される各符号化データは、各基地局２−１〜２−３における畳み込み復号化装置２３が畳み込みを解く前の状態に戻るのである。従って、基地局２−１〜２−３で復号化した場合より特性を改善させることができるのである。
【００６２】
つまり、上述の移動通信システムでは、交換局３に畳み込み符号化装置３４，合成装置３５及び畳み込み復号化装置３６を設けることにより、交換局３において、各基地局２−１〜２−３からの信号について、それぞれ畳み込み符号化処理を施したあと、各畳み込み符号化処理を施した信号について、合成処理を施してから、畳み込み復号化処理を施すようになっているのである。なお、この畳み込み符号化→合成→畳み込み復号化の一連の処理を、以下では、再符号化合成処理という。
【００６３】
上述の構成により、本発明の第１実施形態におけるサイトダイバシティ受信方法を採用する移動通信システムでは、図２に示すように、端末局１において、データ発生装置１０から出力されるデータを予め基地局２−１〜２−３と打ち合わせておいた方式で畳み込み符号化装置１１にて畳み込み符号化処理を施し、フレーム生成装置１２にてこの畳み込み符号化処理が施された符号化データを所定のフレームフォーマットに挿入したのち、送信装置１３から無線回線８を介して基地局２−１〜２−３へ送信する。
【００６４】
その後、各基地局２−１〜２−３では、受信装置２１において端末局１からの信号を受信し、フレーム分解装置２２においてそのフレームフォーマットから符号化データを抽出したのち、畳み込み復号装置２３においてそれぞれ畳み込み復号化処理を施し、得られた復号化データをフレーム生成装置２４において交換局３と予め打ち合わせておいたフレームフォーマットに挿入したのち、送信装置２５から交換局３へ送信する。
【００６５】
そして、交換局３においては、図３に示すように、上記の各基地局２−１〜２−３からの信号（復号化データ）が受信装置３１で受信され、この受信復号化データに対してフレーム分解装置３２において復号化データの抽出とフレームナンバーの抽出とが施され、遅延装置３３においてフレームナンバーを用いて各復号化データの信号遅延の補正が施されたのち、畳み込み符号化装置３４へ出力される。
【００６６】
そして、各復号化データは、畳み込み符号化装置３４においてそれぞれ再度、畳み込み符号化処理が施されたのち、合成装置３５において得られた畳み込み符号化信号についての合成処理が施される。
このときの合成装置３５（３局合成装置）における多数決判定処理及び軟判定処理について図８を用いて説明する。
【００６７】
まず、多数決判定処理については、畳み込み符号化装置３４より畳み込み符号化信号が入力されると、その入力された信号（例えば、“Ａ”，“Ｂ”，“Ｃ”）の合計数（Ａ＋Ｂ＋Ｃ）が“２”以上であるか否かが判断される〔図８（ａ）のステップａ１〕。この結果、合計数が“２”以上である場合（つまり、“Ａ”，“Ｂ”，“Ｃ”のうち少なくとも２つ以上が“１”である場合）、畳み込み復号化装置３６へは“１”が出力され〔図８（ａ）のステップａ１のＹＥＳルート〕、合計数が“２”より小さい場合（つまり、“Ａ”，“Ｂ”，“Ｃ”のうち少なくとも２つ以上が“０”である場合）は、“０”が出力される〔図８（ａ）のステップａ１のＮＯルート〕。
【００６８】
また、合成装置３５における軟判定処理については、畳み込み符号化装置３４より畳み込み符号化信号が入力されると、その入力された信号の合計数（Ａ＋Ｂ＋Ｃ）が“３”であるか否かが判断され〔図８（ｂ）のステップｂ１；Ａ＋Ｂ＋Ｃ＝３？〕、その結果、合計数が“３”である場合〔図８（ｂ）のステップｂ１でＹＥＳと判定されると〕、“１”が出力され、合計数が“３”でない場合〔図８（ｂ）のステップｂ１でＮＯと判定されると〕、入力された信号の合計数が“２”であるか否かが判断される（ステップｂ２）。
【００６９】
その結果、合計数が“２”である場合〔図８（ｂ）のステップｂ２でＹＥＳと判定されると〕、“０．６”が出力され、合計数が“２”でない場合〔図８（ｂ）のステップｂ２でＮＯと判定されると〕、さらに、入力された信号の合計数が“１”であるか否かが判断される（ステップｂ３）。
その結果、合計数が“１”である場合〔図８（ｂ）のステップｂ３でＹＥＳと判定されると〕、“０．６”が出力され、合計数が“１”でない場合〔図８（ｂ）のステップｂ３でＮＯと判定されると〕、“１”が出力される。
【００７０】
その後、畳み込み復号化装置３６において上述したような合成装置３５からの出力（合成信号及び軟判定結果）に畳み込み復号化処理を施し、データとして出力する。
ここで、上述した本実施形態のサイトダイバシティ受信方式を採用する移動通信システムにおける交換局３の実証する具体例（シミュレーション）について以下説明する。なお、このシミュレーションでは、図９に示すような諸元に基づいて行なわれている。
【００７１】
図１０はシミュレーションに用いられた交換局３の構成を示すブロック図で、この図１０に示す交換局３は、畳み込み符号化装置（ＥＮＣ）３４，合成装置３５，畳み込み復号化装置（ＤＥＣ）３６及び選択部３００をそなえて構成されている。なお、選択部３００は、基地局２−１〜２−３からの畳み込み復号化信号を選択するものである（図２８の選択部１１３ａに相当する）。
【００７２】
そして、このシミュレーションでは、サイトダイバシティ方式を用いないもの、基地局２−１〜２−３からの畳み込み復号化信号に選択処理を行なうもの、本実施形態のように基地局２−１〜２−３からの畳み込み復号化信号に再符号化合成処理を行なうものの３つについて調べた。
図１１はこのシミュレーションにおけるビット誤り率（ＢＥＲ；ビットエラーレート）の特性を示したものであるが、この図１１に示すように、ＢＥＲ＝１０-3において再符号化合成を行なうもの〔図１１の矢印Ｃ参照；Site Div（Proposed）〕は選択処理を行なうもの〔図１１矢印Ｂ参照；Site Div(Selected)〕よりも利得があることがわかる。
【００７３】
つまり、図１１に示すように、再符号化合成を行なうものは、サイトダイバシティ方式を用いないもの〔図１１の矢印Ａ参照；W/O Site Div〕及び選択処理を行なうものに比べて同じ利得におけるＢＥＲの大幅な改善がみられたのである。なお、図１２はフレーム誤り率（ＦＥＲ）の特性を示したものであるが、この図１２に示すフレーム誤り率においても本実施形態のように再符号化合成を行なうものが最もその特性を効果的に改善している。
【００７４】
このように、本発明の第１実施形態によれば、基地局２−１〜２−３において畳み込み復号化処理された信号を交換局３において再符号化合成処理を施すことができるので、サイトダイバシティ方式を用いながら基地局２−１〜２−３と交換局３との間における信号流量を増大させることなく、誤り率の改善を行なうことができ、移動通信システムにおいての伝送処理能力の向上に大いに寄与しうる。
【００７５】
また、この第１実施形態によれば、合成装置３５において軟判定処理も行なうことができるので、畳み込み復号化装置３６において軟判定結果も利用した畳み込み復号化処理を施すことができ、合成信号の信頼度を向上させることができるので、信号品質を向上させることができる。
（ｂ）第２実施形態の説明
図１３は本発明の第２実施形態にかかる移動通信システムの移動端末局及び複数の基地局の構成を示すブロック図で、図１４は本発明の第２実施形態にかかるサイトダイバシティ受信方式を採用する移動通信システムにおける交換局の構成を示すブロック図で、これらの図１３，図１４に示すように、本第２実施形態の移動通信システムは、端末局１Ａと３つの基地局２Ａ−１〜２Ａ−３（図１３参照）と、交換局３Ａ（図１４参照）とをそなえて構成されている。
【００７６】
なお、これらの図１３，図１４において、第１実施形態にて既述の符号と同一の符号を付したものは、いずれも第１実施形態にて前述したものと同様のものであるため、その詳細な説明については省略する。また、以下に詳述する他の実施形態においても既述の符号と同一の符号を付したものについての説明は同様に省略する。
【００７７】
ここで、端末局１Ａは、図２により上述した第１実施形態における端末局１とほぼ同様に構成されているが、ここでは、図２に示す構成に加えてデータ発生装置１０と畳み込み符号化装置１１との間に誤り検出符号付加装置１４が設けられている。
ここで、この誤り検出符号付加装置１４は、端末局１Ａのデータ発生装置１０で発生したデータに誤りがあるか否かを基地局２Ａ−１〜２Ａ−３で検出可能にするための情報（誤り検出用情報）をデータ発生装置１０からのデータに付加するもので、次段の畳み込み符号化装置１１では、この誤り検出用情報を加味した畳み込み符号化処理が施されるようになっている。
【００７８】
さらに、この図１３に示す基地局２Ａ−１〜２Ａ−３は、受信装置２１，フレーム分解装置２２，畳み込み復号化装置２３，フレーム生成装置２４Ａ，送信装置２５及び誤り検出装置２６をそなえて構成されている。つまり、本実施形態の基地局２Ａ−１〜２Ａ−３は、図２により上述した基地局２−１〜２−３における畳み込み復号化装置２３からフレーム生成装置２４への出力と並行してその出力を受ける誤り検出装置２６が付加されている。
【００７９】
ここで、この誤り検出装置２６は、端末局１Ａにおいて付加された誤り検出用情報に基づいて端末局１Ａからの送信信号に誤りがあるか否かを示す誤り有無情報を検出（判定）するもので、このため、後段のフレーム生成装置２４Ａでは、交換局３Ａと予め打ち合わせておいたフレームフォーマットに畳み込み復号化装置２３で得られた畳み込み復号化信号とこの誤り検出装置２６で得られた誤り有無情報とを挿入して交換局３Ａに送信するようになっている。なお、この際、復号化データにはフレームナンバーも同時に付与されるようになっている。
【００８０】
このように、基地局２Ａ−１〜２Ａ−３では、端末局１Ａからの送信信号を無線回線８を介して受信し、それぞれ畳み込み復号化装置２３にて畳み込み復号化処理を施すとともに、誤り検出装置２６にて誤り検出を行なってから、畳み込み復号化処理を施した信号と誤り検出結果とを、有線回線９を介して交換局３Ａに送信するようなっているのである。
【００８１】
つまり、本実施形態の交換局３Ａは、基地局２Ａ−１〜２Ａ−３で畳み込み復号化処理を施された畳み込み復号化信号を受信するとともに、基地局２Ａ−１〜２Ａ−３で誤り検出を行なった結果得られた誤りの有無情報を受信するように構成される。
具体的には、図１４に示すように、この交換局３Ａには、受信装置３１，フレーム分解装置３２Ａ，遅延装置３３Ａ，畳み込み符号化装置３４，合成装置３５，畳み込み復号化装置３６，誤り判定装置３７，遅延装置３８，選択装置３９及び制御部６０が設けられている。
【００８２】
ここで、フレーム分解装置３２Ａは、受信装置３１にて受信したフレームフォーマットから復号化データを抽出するもので、ここでは、データ抽出部３２０，フレームナンバー抽出部３２１のほかに、誤り抽出部３２２を有している。この誤り抽出部３２２は、基地局２Ａ−１〜２Ａ−３からの誤り有無情報を抽出するもので、本実施形態では遅延装置３３Ａにデータ抽出部３２０からのデータとともにこの誤り検出情報が出力されるようになっている。
【００８３】
遅延装置３３Ａは、各畳み込み符号化装置３４への復号化データがそれぞれ同じフレームナンバーを付与されていたものとなるよう対応するデータ抽出部３２０からの復号化データをそれぞれ所定時間遅延して、各基地局２Ａ−１〜２Ａ−３からの信号遅延の補正を行なうもので、各遅延装置３３Ａでの遅延時間は各フレームナンバーに基づいて制御部６０によって制御されるようになっている。
【００８４】
誤り判定装置（誤り判定部）３７は、各基地局２Ａ−１〜２Ａ−３からの誤り有無情報を受けて、誤り判定処理を施すものであり、遅延装置３８は遅延装置３３Ａから出力される基地局２Ａ−１〜２Ａ−３からの畳み込み復号化信号を所定時間遅延させるものである。
選択装置（ゲート部）３９は、誤り判定装置３７で基地局２Ａ−１〜２Ａ−３の全てから誤り有情報が送信されてきたと判定された場合に、畳み込み復号化装置３６からの出力を受信信号として出力するもので、具体的には、誤り判定装置３７で基地局２Ａ−１〜２Ａ−３の全てから誤り有情報が送信されてきた場合に、畳み込み復号化装置３６からの出力を選択する一方、誤り判定装置３７で基地局２Ａ−１〜２Ａ−３の全てから誤り有情報が送信されてきたと判定されない場合には、基地局２Ａ−１〜２Ａ−３からの畳み込み復号化信号を選択する選択部として機能するようになっている。
【００８５】
即ち、この選択装置３９では、誤り判定装置３７からの出力（誤り判定結果）に基づいて、基地局２Ａ−１〜２Ａ−３からの畳み込み復号化信号か、畳み込み復号化装置３６からの畳み込み復号化信号かのいずれか一方を選択するようになっているのである。従って、基地局２Ａ−１〜２Ａ−３の全てにおいて誤りが検出された場合に限り、再符号化合成処理が施されることになる。
【００８６】
つまり、第２実施形態のおける移動通信システムでは、端末局１Ａからの送信信号に誤り有無情報を付加することによって、交換局３Ａにおいて、そのデータの誤り検出の状況に応じた処理を行なえるようにしている。従って、より誤りの少ない方のデータを選択することが可能になり、交換局３Ａから出力されるデータの品質を向上させることができる。
【００８７】
つまり、交換局３Ａでは、各基地局２Ａ−１〜２Ａ−３から受信した誤り検出結果から、基地局２Ａ−１〜２Ａ−３の全てから誤り有情報が送信されてきたと判定された場合に、各基地局２Ａ−１〜２Ａ−３からの信号について、それぞれ畳み込み符号化処理を施したあと、各畳み込み符号化処理を施した信号について、合成処理を施してから、畳み込み復号化処理を施すようになっているのである。
【００８８】
上述の構成により、本発明の第２実施形態におけるサイトダイバシティ受信方式を採用する移動通信システムでは、図１３に示すように、端末局１Ａにおいて、データ発生装置１０からデータが出力されるとこのデータに誤りがあるか否かを基地局２Ａ−１〜２Ａ−３で検出可能にするための情報（誤り検出用情報）が付加されたデータの畳み込み符号化処理を施す。
【００８９】
その後、フレーム生成装置１２にてこの畳み込み符号化処理が施された符号化データを所定のフレームフォーマットに挿入したのち、送信装置１３から無線回線８を介して基地局２Ａ−１〜２Ａ−３へ送信する。
そして、基地局２Ａ−１〜２Ａ−３では、受信装置２１において端末局１Ａからのフォーマットを受信し、フレーム分解装置２２においてそのフレームフォーマットから符号化データを抽出したのち、畳み込み復号装置２３においてそれぞれ畳み込み復号化処理を施す。
【００９０】
このとき、誤り検出装置２６において、端末局１Ａにおいて付加された誤り検出用情報に基づいて誤り有無情報を検出し、フレーム生成装置２４Ａでは、交換局３Ａと予め打ち合わせておいたフレームフォーマットに畳み込み復号化信号とこの誤り有無情報とを挿入して送信装置２５から交換局３Ａへ送信する。
その後、交換局３Ａでは、図１４に示すように、上記の各基地局２Ａ−１〜２Ａ−３からの復号化データが入力されると、この復号化データは受信装置３１において受信され、フレーム分解装置３２Ａにおいて符号化データの抽出と誤り有無情報の検出とフレームナンバーの抽出とが施され、遅延装置３３Ａにおいてフレームナンバーを用いて各復号化データの信号遅延の補正が施される。
【００９１】
このとき、誤り抽出部３２２において抽出された誤り有無情報は、誤り判定装置３７へ送信され、誤り判定装置３７では、全ての基地局２Ａ−１〜２Ａ−３から誤り有情報が送信されてきたと判定された場合に、遅延装置３３Ａからの出力を畳み込み符号化装置３４へ送信する。
そして、各復号化データは、畳み込み符号化装置３４において、再度、畳み込み符号化処理が施されたのち、合成装置３５において得られた畳み込み符号化信号についての合成処理が施されたのち、畳み込み復号化装置３６において畳み込み復号化処理が行なわれ、選択装置３９を介して出力される。
【００９２】
一方、誤り判定装置３７において全ての基地局２Ａ−１〜２Ａ−３から誤り有情報が送信されてきたと判定されない場合、即ち、基地局２Ａ−１〜２Ａ−３のいずれかからか誤りのない信号が受信された場合には、遅延装置３３Ａからの出力は遅延装置３８へ出力され、選択装置３９を介して出力される。
このように、本発明の第２実施形態によれば、端末局１Ａからの送信信号に誤り有無情報を付加することによって、前述の第１実施形態で得られる効果があるだけでなく、データの誤り検出状況に応じた処理を行なえるようにしている。従って、より誤りの少ないデータを選択することが可能になり、この場合も、移動通信システムにおける伝送処理の向上に寄与する。
【００９３】
（ｃ）第３実施形態の説明
図１５は本発明の第３実施形態にかかる移動通信システムの移動端末局及び複数の基地局の構成を示すブロック図で、図１６は本発明の第３実施形態にかかるサイトダイバシティ受信方式を採用する移動通信システムにおける交換局の構成を示すブロック図で、これらの図１５，図１６に示すように、本第３実施形態の移動通信システムは、端末局１Ａと３つの基地局２−１〜２−３（図１５参照）と、交換局３Ｂ（図１６参照）とをそなえて構成されている。なお、この図１５に示す端末局１Ａは上述の第２実施形態と同様のもので、基地局２−１〜２−３は上述の第１実施形態と同様のものであるため、詳細な説明については省略する。
【００９４】
また、図１６に示す交換局３Ｂは、上述の交換局３（図３参照）と同様に、端末局１Ａからの畳み込み符号化処理を施された送信信号についてそれぞれ複数の基地局２−１〜２−３で畳み込み復号化処理を施した畳み込み復号化信号を受信するもので、受信装置３１，フレーム分解装置３２，遅延装置３３，畳み込み符号化装置３４，合成装置３５，畳み込み復号化装置３６，遅延装置３８，選択装置３９，誤り検出装置４０，誤り判定装置４１及び制御部６０をそなえて構成されている。
【００９５】
また、この図１６に示す誤り検出装置４０及び誤り判定装置４１は誤り検出装置２６（図１３参照）及び誤り判定装置３７（図１４参照）とほぼ同様に機能するようになっている。
つまり、この誤り検出装置（誤り検出部）４０は、各基地局２−１〜２−３からの畳み込み復号化信号についてそれぞれ誤り検出を行なうもので、第２実施形態では、基地局２Ａ−１〜２Ａ−３（図１３参照）において行なっていた誤り検出をこの第３実施形態では、交換局３Ｂにおいて行なうようになっているのである。
【００９６】
従って、この第３実施形態における交換局３Ｂでは、遅延装置３３の次段に誤り検出装置４０をそなえることにより、基地局２−１〜２−３と交換局３Ｂとの間における有線回線（伝送回線）９における誤りも含めて検出することができる。なお、誤り判定装置（誤り判定部）４１は、誤り検出装置４０からの誤り有無情報を受けて、誤り判定処理を施すものである。
【００９７】
つまり、本実施形態の交換局３Ｂは、各基地局２−１〜２−３から受信した信号より誤り検出を行ない、この誤り検出結果から、基地局２−１〜２−３の全てから誤り有情報が送信されてきたと判定された場合に、各基地局２−１〜２−３からの信号について、それぞれ畳み込み符号化処理を施したあと、各畳み込み符号化処理を施した信号について、合成処理を施してから、畳み込み復号化処理を施すようになっているのである。
【００９８】
上述の構成により、本発明の第３実施形態における移動通信システムでは、図１５に示すように、端末局１Ａ及び基地局２−１〜２−ｎにおいて所要の処理が施されたデータが交換局３Ｂに入力されると、交換局３Ｂにおいて、図１６に示すように、受信装置３１においてデータを受信し、フレーム分解装置３２においてデータを抽出したのち、遅延装置３３においてフレームナンバーを用いて信号遅延の補正を行なう。
【００９９】
その後、遅延装置３３からの出力により、誤り検出装置４０において各基地局２−１〜２−３からの畳み込み復号化信号について、それぞれ誤り検出を行ない、この誤り有無情報を誤り判定装置４１へ出力する。
そして、誤り判定装置４１において全ての基地局２−１〜２−３から誤り有情報が送信されてきたと判定された場合に、遅延装置３３からの出力を畳み込み符号化装置３４へ送信し、畳み込み符号化装置３４では、入力されたデータの畳み込み符号化処理を行なう。その後、合成装置３５においてこの畳み込み符号化信号を合成したのち、畳み込み復号化装置３６において畳み込み復号化処理を行ない、選択装置３９を介して出力する。
【０１００】
一方、誤り判定装置４１において全ての基地局２−１〜２−３から誤り有情報が送信されてきたと判定されない場合、即ち、基地局２−１〜２−３のいずれかからか誤りのない信号を受信している場合には、遅延装置３３からの出力を遅延装置３８へ出力し、選択装置３９を介して出力する。
このように、本発明の第３実施形態によれば、第１実施形態と同様の利点が得られるほか、交換局３Ｂにおいて入力データの誤り検出（判定）を行なうことができるので、端末局１Ａと基地局２−１〜２−３との間の無線回線８における誤りのほかに、基地局２−１〜２−３と交換局３Ｂとの間の有線回線９における誤りも含めて検出することができ、より精度の良い信号を出力することができる。従って、交換局３Ｂにおける受信信号の信号品質を向上させることができる利点がある。
【０１０１】
（ｄ）第４実施形態の説明
図１７は本発明の第４実施形態にかかる移動通信システムにおける交換局の構成を示すブロック図であるが、この図１７に示す交換局３Ｃは、上述の図１５に示す端末局１Ａ及び基地局２−１〜２−３によって処理されたデータを用いて処理するようになっている。
【０１０２】
また、この交換局３Ｃも、上述の交換局３Ｂ（図１６参照）と同様に、端末局１Ａからの畳み込み符号化処理を施された送信信号についてそれぞれ複数の基地局２−１〜２−３で畳み込み復号化処理を施した畳み込み復号化信号を受信するもので、受信装置３１，フレーム分解装置３２，遅延装置３３，畳み込み符号化装置３４，第２合成装置３５′，畳み込み復号化装置３６，遅延装置３８，選択装置３９Ａ，第１合成装置４２，誤り検出装置４３及び制御部６０をそなえて構成されている。つまり、この第４実施形態においては、遅延装置３３の後段に第１合成装置４２を介して誤り検出装置４３が設けられた構成となっているのである。
【０１０３】
ここで、第１合成装置（第１合成部）４２は基地局２−１〜２−３からの畳み込み復号化信号について合成処理を施すもので、遅延装置３３からの出力を合成するようになっている。誤り検出装置（誤り検出部）４３は第１合成装置４２で合成された信号について誤り検出を行なうものである。なお、第２合成装置３５′は、上述の合成装置３５と同様に機能するものである。
【０１０４】
つまり、第４実施形態における誤り検出装置４３は、第３実施形態における誤り検出装置４０（図１６参照）のように、基地局２−１〜２−３毎に対応して設けるのではなく、基地局２−１〜２−３からのデータを第１合成装置４２において合成した信号について誤り検出を行なっているのである。これにより、誤り検出装置４３を基地局２−１〜２−３個々に設ける必要がないため、回路構成を縮小化することができる。
【０１０５】
選択装置３９Ａは誤り検出装置４３で合成信号が誤り有情報を有することが検出された場合に、畳み込み復号化装置３６からの出力を受信出力として出力するもので、具体的には、誤り検出装置４３で合成信号が誤り有情報を有することが検出された場合に、畳み込み復号化装置３６からの出力を選択する一方、誤り検出装置４３で合成信号が誤り有情報を有することが検出されない場合には、第１合成装置４２からの合成信号を選択する選択部として機能するようになっている。
【０１０６】
つまり、この選択装置３９Ａでは、誤り検出装置４３からの誤り有情報に基づいて基地局２−１〜２−３からの畳み込み復号化信号を第１合成装置４２で合成した信号か、畳み込み復号化装置３６からの畳み込み復号化信号かのいずれか一方を選択するようになっているのである。
従って、第４実施形態では、基地局２−１〜２−３からの畳み込み復号化信号を合成した第１合成装置４２における合成結果、又は畳み込み復号化装置３６からの出力を選択するため、より品質の良い信号を得ることができるのである。
【０１０７】
上述の構成により、本発明の第４実施形態にかかるサイトダイバシティ受信方式を採用する移動通信システムにおける交換局３Ｃでは、図１７に示すように、基地局２−１〜２−３からのデータが入力されると、そのデータを受信装置３１において受信し、フレーム分解装置３２においてデータを抽出し、遅延装置３３においてフレームナンバーを用いて信号遅延の補正を行なう。
【０１０８】
その後、遅延装置３３からの出力を第１合成装置４２において合成し、誤り検出装置４３において誤り検出を行なう。そして、この誤り検出装置４３において誤りが検出された場合には、選択装置３９Ａにおいて、畳み込み復号化装置３６からの出力を選択して出力する一方、誤りが検出されない場合には、遅延装置３８からの出力（合成装置４２における合成結果）を選択して出力する。
【０１０９】
このように、本発明の第４実施形態によれば、第１実施形態と同様の利点があるほか、交換局３Ｃの誤り検出装置４３において各基地局２−１〜２−３からの誤り有無情報が全て合成されたものについて、一括して誤り検出を行なっているので、より品質の良い信号を得ることができる。また、データの誤り検出状況に応じた処理を行なうことができるので、より誤りの少ないデータを選択することが可能になり、この場合も、移動通信システムにおける伝送処理の向上に寄与する。
【０１１０】
さらに、誤り検出装置４３を各基地局２−１〜２−３用に別個に設けることなく、共用化させることができるので、回路構成を縮小化することができる。従って、コストを削減することができるほか、ひいては移動伝送システム全体のコスト削減に寄与しうる。
（ｅ）第５実施形態の説明
図１８は本発明の第５実施形態にかかる移動システムにおける交換局の構成を示すブロック図であるが、この図１８に示す交換局３Ｄも、上述の図１５に示す端末局１Ａ及び基地局２−１〜２−３によって処理されたデータを受信するようになっている。但し、この交換局３Ｄは２局の基地局２−１，２−２からのデータを受信するようになっている。
【０１１１】
また、この交換局３Ｄも、上述の交換局３Ｂ（図１６参照）と同様に、端末局１Ａからの畳み込み符号化処理を施された送信信号についてそれぞれ複数の基地局２−１，２−２で畳み込み復号化処理を施した畳み込み復号化信号を受信するもので、受信装置３１，フレーム分解装置３２，遅延装置３３，畳み込み符号化装置３４，合成装置３５，畳み込み復号化装置３６，選択装置３９Ｂ，遅延装置４４，誤り検出装置４５及び制御部６０をそなえて構成されている。
【０１１２】
つまり、上述の図１６に示した第３実施形態における交換局３Ｂでは、誤り検出を行なう誤り検出部４０を畳み込み符号化装置３４の前段に設けた構成となっている（即ち、再符号化合成処理される前において誤り検出を行なっている）が、この第５実施形態における交換局３Ｄでは、畳み込み復号化装置３６の後段に誤り検出装置４５を設けている（即ち、再符号化合成処理された後の誤り検出を行なっている）。
【０１１３】
また、選択装置３９Ｂは誤り検出装置４５において誤り無が検出された場合に畳み込み復号化装置３６からの出力を受信出力として出力するもので、具体的には、誤り検出装置４５で誤り無が検出された場合に、畳み込み復号化装置３６からの出力を選択する一方、誤り検出装置４５で誤り無が検出されない場合には、各基地局２−１，２−２からの畳み込み復号化信号を選択する選択部として機能するようになっている。
【０１１４】
つまり、２局の基地局２−１，２−２からのデータに再符号化合成処理を施した畳み込み復号化信号に誤りがある場合には、基地局２−１，２−２のいずれか一方のデータ（基地局２−１，２−２のどちらでも可能）を選択して出力するようになっているのである。なお、図１８においては、基地局２−２からの出力を用いている。また、遅延装置４４は、基地局２−２からの信号を所定時間遅延するものである。
【０１１５】
このように、交換局３Ｄでは、各基地局２−１，２−２からの信号について、それぞれ畳み込み符号化処理を施したあと、各畳み込み符号化処理を施した信号について、合成処理を施してから、畳み込み復号化処理を施す一方、この畳み込み復号化処理を施した信号より誤り検出を行ない、この誤り検出結果から、誤り無が検出された場合に、この畳み込み復号化処理を施した信号を受信信号として出力するようになっている。
【０１１６】
上述の構成により、本発明の第５実施形態にかかる移動通信システムにおける交換局３Ｄでは、基地局２−１〜２−３からのデータが入力されると、そのデータを受信装置３１において受信し、フレーム分解装置３２においてデータを抽出し、遅延装置３３においてフレームナンバーを用いて信号遅延の補正を行なう。
その後、データを畳み込み符号化装置３４において畳み込み符号化処理を施し、この畳み込み符号化信号を合成装置３５において合成したのち、畳み込み復号化装置３６において畳み込み復号化処理を施し、誤り検出装置４５においてこの畳み込み復号化信号の誤り検出を行なう。
【０１１７】
そして、誤り検出装置４５において、誤り無が検出された場合に、畳み込み復号化装置３６からの出力を受信信号として選択装置３９Ｂを介して出力する一方、誤り検出装置４５で誤り無が検出されない場合には、基地局２−２からの畳み込み復号化信号を受信信号として選択装置３９Ｂを介して出力する。
このように、本発明の第５実施形態によれば、第１実施形態と同様の利点があるほか、交換局３Ｄの誤り検出装置４５において、畳み込み復号化装置３６から出力される畳み込み復号化信号について誤り検出を行なっているので、より誤り率の改善されたデータについての誤りを検出することができるとともに、この場合も、誤り検出装置４５を別個に設けることなく、共用化させることができるので、コストを削減することができるほか、ひいては移動伝送システム全体のコスト削減に寄与しうる。
【０１１８】
（ｆ）第６実施形態の説明
図１９は本発明の第６実施形態にかかる移動通信システムにおける交換局の構成を示すブロック図であるが、この図１９に示す交換局３Ｅも、上述の図１５に示す端末局１Ａ及び基地局２−１〜２−３によって処理されたデータを受信するようになっている。
【０１１９】
また、上述の図１８に示す第５実施形態では、いずれかの基地局（図１８では、基地局２−２）からの出力のみを受けるような遅延装置４４が設けられていたが、この図１９に示す第６実施形態では、全ての基地局２−１〜２−３からの畳み込み復号化信号を合成装置４５にて合成し、その合成した出力を受ける遅延装置４６が設けられている。
【０１２０】
従って、この場合においては、誤り検出装置４７において誤り無が検出されない場合には、上述の遅延装置４６を介して得られる基地局２−１〜２−３からの出力が選択装置３９Ｂにおいて選択され出力されるようになっており、誤り検出装置４７において誤り無が検出された場合には、畳み込み復号化装置３６からの出力が選択装置３９Ｂにおいて選択され出力されるようになっている。
【０１２１】
つまり、この交換局３Ｅは、再符号化合成処理後の信号について誤り検出を行なうことにより、再符号化合成処理後の信号か再符号化合成処理前の信号かを選択して出力でき、基地局２−１〜２−３から入力されるデータの誤り検出状況に応じて良好なデータを出力することができるようになっている。
上述の構成により、本発明の第６実施形態にかかるサイトダイバシティ受信方式を採用する移動通信システムにおける交換局３Ｅでは、基地局２−１〜２−３からのデータが入力されると、そのデータを受信装置３１において受信し、フレーム分解装置３２においてデータを抽出し、遅延装置３３においてフレームナンバーを用いて信号遅延の補正を行なう。
【０１２２】
その後、データを畳み込み符号化装置３４において畳み込み符号化処理を施し、この畳み込み符号化信号を合成装置３５において合成したのち、畳み込み復号化装置３６において畳み込み復号化処理を施し、誤り検出装置４７においてこの畳み込み復号化信号の誤り検出を行なう。
そして、誤り検出装置４７において、誤り無が検出された場合に、畳み込み復号化装置３６からの出力を受信信号として選択装置３９Ｂを介して出力する一方、誤り検出装置４５で誤り無が検出されない場合には、基地局２−１〜２−３からの畳み込み復号化信号を合成した合成信号を受信信号として選択装置３９Ｂを介して出力する。
【０１２３】
このように、本発明の第６実施形態によれば、交換局３Ｅの誤り検出装置４７において、畳み込み復号化装置３６から出力される畳み込み復号化信号について誤り検出を行なっているので、上述の第５実施形態と同様の効果を得ることができるほか、合成装置４５において各基地局２−１〜２−３からの畳み込み復号化信号を合成しているので、１つの基地局２−１〜２−３からの畳み込み復号化信号を用いる場合に比べてより改善されたデータを出力することができる利点がある。
【０１２４】
（ｇ）第７実施形態の説明
図２０は本発明の第７実施形態にかかる移動通信システムにおける交換局の構成を示すブロック図であるが、この図２０に示す交換局３Ｆは、上述の図２に示す端末局１及び基地局２−１〜２−３によって処理されたデータを受信するようになっている。
【０１２５】
また、この交換局３Ｆは、上述の第１実施形態に示した交換局３（図３参照）とほぼ同様に構成されているもので、受信装置３１，フレーム分解装置３２，遅延装置３３，畳み込み符号化装置３４，合成装置３５Ａ，畳み込み復号化装置３６，誤り率測定装置４８及び制御部６０が設けられている。つまり、この第７実施形態における交換局３Ｆは、受信装置３１の出力側に誤り率測定装置４８を設けられている点が異なっている。
【０１２６】
ここで、誤り率測定装置（誤り率測定部）４８は、各基地局２−１〜２−３からの畳み込み復号化信号について、それぞれ誤り率を測定するものである。
具体的には、基地局２−１と基地局２−２の信号をビット比較し、その比較の結果が異なれば、エラーカウンタを１づつインクリメントする。一方で、比較したビット数も数えておく。これにより、“基地局２−１と基地局２−２との平均誤り率”は、エラーカウンタ値を比較したビット数で除算し、さらに、それを“２”で除算した結果となる。
【０１２７】
同様に、“基地局２−１と基地局２−３との平均誤り率”及び“基地局２−２と基地局２−３との平均誤り率”を求める。これらにより、基地局２−１の誤り率は、“基地局２−１と基地局２−２との平均誤り率”と“基地局２−１と基地局２−３との平均誤り率”とを加算したものから、“基地局２−２と基地局２−３との平均誤り率”を減算することで求めることができるようになっている。
【０１２８】
さらに、同様にして、基地局２−２の誤り率は、“基地局２−１と基地局２−２との平均誤り率”と“基地局２−２と基地局２−３との平均誤り率”とを加算したものから“基地局２−１と基地局２−３との平均誤り率”を減算して求め、基地局２−３の誤り率は、“基地局２−１と基地局２−３との平均誤り率”と“基地局２−２と基地局２−３との平均誤り率”とを加算したものから“基地局２−１と基地局２−２との平均誤り率”を減算して求めることができるのである。
【０１２９】
また、合成装置（合成部）３５Ａは、畳み込み符号化装置３４からの畳み込み符号化信号について、誤り率測定装置４８で測定された誤り率を反映させて合成処理を施すもので、具体的には、予め測定しておいた誤り率により重み付けを行ないながら合成を行なうようになっている。
なお、この交換局３Ｆにおいては、合成装置３５Ａのほかに畳み込み符号化装置３４からの畳み込み符号化信号を選択するような選択装置をそなえてもよく、この場合、選択装置では、誤り率の良いもののみを選択して出力することができるようになっている。
【０１３０】
つまり、この交換局３Ｆは、各基地局２−１〜２−３からの信号について、それぞれ畳み込み符号化処理を施したあと、各符号化処理を施した信号について、各基地局２−１〜２−３からの信号より得られた誤り率を反映させた合成処理を施してから、畳み込み復号化処理を施すようになっている。
上述の構成により、本発明の第７実施形態にかかる移動通信システムにおける交換局３Ｆでは、図２０に示すように、上記の各基地局２−１〜２−３からのデータを受信装置３１で受信し、フレーム分解装置３２においてデータの抽出を行なうとともに、誤り率を測定し、遅延装置３３においては、フレームナンバーを用いて信号遅延の補正を行なったのち、畳み込み符号化装置３４へ出力する。
【０１３１】
その後、畳み込み符号化装置３４おいてそれぞれ畳み込み符号化処理を施し、合成装置３５Ａにおいて各畳み込み符号化処理を施した信号について、予め測定しておいた誤り率により重み付けを行ないながら合成処理を施し、畳み込み復号化装置３６において合成装置３５Ａからの出力に畳み込み復号化処理を施す。
このように、本発明の第７実施形態によれば、第１実施形態と同様な効果がありながら、基地局２−１〜２−３からの信号に誤り率の重み付けを行ないながら合成することができるので、より精度の高いデータを得ることができ、この場合も本装置の性能を向上させることができる。
【０１３２】
（ｈ）第８実施形態の説明
図２１，図２２は本発明の第８実施形態にかかる移動通信システムを示すブロック図であるが、この図２１，図２２に示す無線通信システムは、端末局１と複数の基地局２Ｂ−１〜２Ｂ−３（図２１参照）と、交換局３Ｇ（図２２参照）とをそなえて構成されている。
【０１３３】
つまり、この第８実施形態では、基地局２Ｂ−１〜２Ｂ−３の受信装置２１の出力側にフレーム分解装置２２Ａと並列的にフレーム信頼度情報生成装置２７をそなえた構成となっているのである。
ここで、フレーム信頼度情報生成装置２７は、端末局１からのデータのフレーム信頼度を測定するもので、具体的には、受信レベル及び相関値検出などによりフレーム単位の信頼度が求められるようになっている。フレーム分解装置２２Ａは受信したデータのフレームからデータを抽出するもので、フレーム信頼度情報生成装置２７からのフレーム信頼度情報を受けて畳み込み復号化装置２３へ出力するようになっている。
【０１３４】
さらに、フレーム生成装置２４Ｂでは、畳み込み復号化装置２３からの畳み込み復号化信号と、このフレーム信頼度情報生成装置２７からのフレーム信頼度情報とを、予め交換局３Ｇと打ち合わせてあるデータフォーマットに挿入し、交換局３Ｇに送信するようになっている。なお、このフレームにもフレームナンバーが付与されている。
【０１３５】
このように、基地局２Ｂ−１〜２Ｂ−３では、端末局１からの送信信号を無線回線８を介して上記複数の基地局で受信し、それぞれフレーム信頼度検出を行なうとともに、畳み込み復号化処理を施してから、このフレーム信頼度検出結果と畳み込み復号化処理を施した信号とを、有線回線９を介して交換局３Ｇに送信するようになっているのである。
【０１３６】
また、図２２に示す交換局３Ｇは、上述の第１実施形態に示した交換局３（図３参照）とほぼ同様に構成されているもので、具体的には、端末局１からの畳み込み符号化処理を施された送信信号についてそれぞれ複数の基地局２−１〜２−３で検出したフレーム信頼度情報を受信するとともに、送信信号についてそれぞれ畳み込み復号化処理を施した畳み込み復号化信号を受信するようになっている。
【０１３７】
そして、この交換局３Ｇには、受信装置３１，フレーム分解装置３２Ｂ，遅延装置３３Ｂ，畳み込み符号化装置３４，合成装置３５，畳み込み復号化装置３６及び制御部６０が設けられている。
ここで、フレーム分解装置３２Ｂは、上述のフレーム分解装置３２Ａとほぼ同様に、受信装置３１にて受信したデータのフレームからデータを抽出するもので、データ抽出部３２０，フレームナンバー抽出部３２１のほかに、信頼度抽出部３２３を有している。
【０１３８】
この信頼度抽出部（フレーム信頼度情報受信部）３２３は、基地局２Ｂ−１〜２Ｂ−３からのフレーム信頼度情報を抽出するもので、後述する遅延装置３３Ｂにはデータ抽出部３２０からのデータとこの信頼度情報とが出力されるようになっている。
遅延装置３３Ｂは、データ抽出部３２０からのデータと信頼度抽出部３２３からのフレーム信頼度情報とがフレームナンバー抽出部３２１において抽出されたフレームナンバーと一致するように所定時間遅延（信号遅延を補正する）もので、データとフレーム信頼度情報とが出力されるようになっている。そして、この遅延装置３３Ｂも制御部６０によって制御されている。
【０１３９】
合成装置（合成部）３５Ｂは、畳み込み符号化部３４からの畳み込み符号化信号について、信頼度抽出部３２３で受信されたフレーム信頼度情報を反映させて合成処理を施すもので、抽出した信頼度情報により重み付けを行ないながら合成を行なうようになっている。即ち、遅延装置３３Ｂから出力される信頼度情報はフレーム毎であるため、畳み込み符号化装置３４において畳み込み符号化処理された信号全体の重み付けを行なうことができるようになっているのである。
【０１４０】
つまり、この交換局３Ｇは、各基地局２Ｂ−１〜２Ｂ−３からの信号について、それぞれ畳み込み符号化処理を施したあと、各畳み込み符号化処理を施した信号について、各基地局２Ｂ−１〜２Ｂ−３から受信されたフレーム信頼度情報を反映させた合成処理を施してから、畳み込み復号化処理を施すようになっている。
【０１４１】
上述の構成により、本発明の第８実施形態にかかる移動通信システムでは、図２１に示すように、端末局１において処理されたデータが、基地局２Ｂ−１〜２Ｂ−３に入力されると、そのデータを受信装置２１において受信し、フレーム分解装置２２Ａにおいて受信したデータのフレームからデータを抽出するとともに、フレーム信頼度情報生成装置２７において、フレーム単位の信頼度を測定し、畳み込み復号装置２３においてそれぞれ端末局１と打ち合わせておいた畳み込み復号化処理を施す。
【０１４２】
そして、フレーム生成装置２４Ｂにおいて、畳み込み復号化装置２３からの畳み込み復号化信号をフレーム信頼度情報生成装置２７からのフレーム信頼度情報とともに、予め交換局３Ｇと打ち合わせてあるデータフォーマットに挿入し、交換局３Ｇに送信する。
その後、交換局３Ｇでは、図２２に示すように、基地局２Ｂ−１〜２Ｂ−３からデータが入力されると、受信装置３１において受信し、フレーム分解装置３２Ｂにおいて基地局２Ｂ−１〜２Ｂ−３と打ち合わせてあるデータフォーマットからデータとフレーム信頼度情報とを抽出し、遅延装置３３Ｂにおいてフレームナンバーを用いて信号遅延の補正を行なう。
【０１４３】
そして、畳み込み符号化装置３４においてそれぞれ畳み込み符号化処理を施したのち、合成装置３５Ｂでは、各畳み込み符号化処理を施した信号について、信頼度抽出部３２３で受信されたフレーム信頼度情報を反映させて合成処理を施したのち、畳み込み復号化装置３６において畳み込み復号化処理を施す。
このように、本発明の第８実施形態においても、前述の第１実施形態と同様の効果があるだけでなく、信頼度抽出部３２３において、フレーム単位の信頼度情報も用いて再符号化合成処理を行なうことができるので、誤り率が改善された精度の高いデータを得ることができる。
【０１４４】
（ｉ）第９実施形態の説明
図２３は、本発明の第９実施形態にかかる移動通信システムの移動端末局及び基地局の構成を示すブロック図で、図２４は本発明の第９実施形態にかかるサイトダイバシティ受信方式を採用する移動通信システムにおける交換局の構成を示すブロック図で、これらの図２３，図２４に示すように、本第９実施形態の移動通信システムは、端末局１と３つの基地局２Ｃ−１〜２Ｃ−３（図２３参照）と、交換局３Ｈ（図２４参照）とをそなえて構成されている。
【０１４５】
つまり、この第９実施形態では、第１実施形態における基地局２−１〜２−３の受信装置２１の出力側にフレーム分解装置２２Ｂと並列的に信頼度測定装置２８を設けた構成となっている。
ここで、信頼度測定装置２８は、端末局１からのデータのビット毎の信頼度を測定するもので、具体的には、端末局１からのデータの軟判定情報を検出するようになっている。また、この信頼度測定装置２８は、後述するフレーム分解装置２２Ｂより知らされた位置の信頼度情報を畳み込み復号化装置２３Ａへ出力するようになっている。
【０１４６】
フレーム分解装置２２Ｂは、受信したデータのフレームからデータを抽出するもので、データを抽出した位置を信頼度測定装置２８へ知らせるとともに、抽出したデータを畳み込み復号化装置２３Ａへ出力するようになっている。
畳み込み復号化装置２３Ａは、データを端末局１と打ち合わせておいた方式でデータに畳み込み復号化処理を施すとともに、信頼度測定装置２８からの信頼度情報をも用いて軟判定復号処理を施すもので、軟判定復号化処理された軟判定情報も出力するようになっている。
【０１４７】
フレーム生成装置２４Ｂは、畳み込み復号化装置２３Ａからの復号データを交換局３Ｈと打ち合わせておいた所定のフレームフォーマットに挿入するもので、軟判定復号情報を有した畳み込み復号化信号が挿入されるようになっているのである。なお、この場合もフレームナンバーが付与されるようになっている。
つまり、この基地局２Ｃ−１〜２Ｃ−３は、端末局１からの送信信号を無線回線８を介して受信し、各基地局２Ｃ−１〜２Ｃ−３において、それぞれ信頼度検出を行なうとともに、この信頼度検出結果を用いて、軟判定出力を伴う畳み込み復号化処理を施してから、この軟判定出力を伴う畳み込み復号化処理を施した信号を、有線回線を介して交換局３Ｈに送信するようになっている。
【０１４８】
また、交換局３Ｈは、上述の第８実施形態に示した交換局３Ｇ（図２２参照）とほぼ同様に構成されているもので、具体的には、端末局１からの畳み込み符号化処理を施された送信信号についてそれぞれ複数の基地局２Ｃ−１〜２Ｃ−３で軟判定出力を伴う畳み込み復号化処理を施した畳み込み復号化信号を受信するようになっている。
【０１４９】
そして、この交換局３Ｈには、受信装置３１，フレーム分解装置３２Ｃ，遅延装置３３Ｂ，畳み込み符号化装置３４Ａ，合成装置３５Ｃ，畳み込み復号化装置３６及び制御部６０が設けられている。
また、フレーム分解装置３２Ｃは、上述の第８実施形態におけるフレーム分解装置３２Ｂとほぼ同様に構成されるもので、第８実施形態では、信頼度抽出部３２３により、フレーム毎の信頼度情報を抽出していたが、第９実施形態では、信頼度抽出部３２３Ａを設けて、ビット毎の信頼度情報を抽出するようになっている。
【０１５０】
畳み込み符号化装置３４Ａは、各基地局２Ｃ−１〜２Ｃ−ｎからの畳み込み復号化信号について、軟判定出力情報を使用して、それぞれ軟判定出力を伴う畳み込み符号化処理を施した畳み込み符号化信号を出力するもので、具体的には、ビット毎の信頼度情報を受けて畳み込み符号化処理を行なっている。
合成装置３５Ｃは、畳み込み符号化処理時に出力される軟判定出力を利用して、合成処理を施すもので、ビット毎に重み付けを行なっている。
【０１５１】
つまり、この交換局３Ｈは、各基地局２Ｃ−１〜２Ｃ−３からの信号について、軟判定出力情報を使用して、それぞれ軟判定出力を伴う畳み込み符号化処理を施したあと、各畳み込み符号化処理を施した信号について、この畳み込み符号化処理時に出力される軟判定出力を利用して、合成処理を施してから、畳み込み復号化処理を施すようになっている。
【０１５２】
上述の構成により、本発明の第９実施形態にかかる移動通信システムでは、図２３に示すように、端末局１において処理されたデータが、基地局２Ｃ−１〜２Ｃ−３に入力されると、そのデータを受信装置２１において受信し、フレーム分解装置２２Ｂにおいて受信したデータのフレームからデータを抽出する。
このとき、信頼度測定装置２８において、ビット毎の信頼度を測定する。そして、畳み込み復号装置２３Ａでは、信頼度測定装置２８からのビット毎の信頼度情報も用いて軟判定復号処理を施し、畳み込み復号化信号と軟判定復号化処理された軟判定情報とを出力する。
【０１５３】
そして、フレーム生成装置２４Ｂにおいて、畳み込み復号化装置２３Ａからの畳み込み復号化信号及び軟判定情報を、予め交換局３Ｈと打ち合わせてあるデータフォーマットに挿入し、交換局３Ｈに送信する。
その後、交換局３Ｈでは、図２４に示すように、基地局２Ｃ−１〜２Ｃ−３からデータが入力されると、受信装置３１において受信し、フレーム分解装置３２Ｃにおいて基地局２Ｃ−１〜２Ｃ−３と打ち合わせてあるデータフォーマットからデータとビット毎の信頼度情報とを抽出し、遅延装置３３Ｂにおいてフレームナンバーを用いて信号遅延の補正を行なう。
【０１５４】
そして、畳み込み符号化装置３４Ａにおいて、軟判定出力情報も使用して、それぞれ畳み込み符号化処理を施したのち、合成装置３５Ｃにおいてそれぞれ軟判定出力を伴う各畳み込み符号化処理を施した信号について合成処理を施したのち、畳み込み復号化装置３６において畳み込み復号化処理を施す。
このように、本発明の第９実施形態においても、前述の第１実施形態と同様の効果があるだけでなく、信頼度抽出部３２３Ａにおいて、ビット単位の信頼度情報を用いて再符号化合成処理を行なうことができるので、誤り率が改善された精度の高いデータを得ることができる。
【０１５５】
（ｊ）第１０実施形態の説明
図２５は本発明の第１０実施形態にかかる移動通信システムにおける交換局の構成を示すブロック図であるが、この図２５に示す交換局３Ｉは、上述の図１５に示す端末局１Ａ及び基地局２−１〜２−３によって処理されたデータを受信するようになっている。
【０１５６】
つまり、この第１０実施形態に示す交換局３Ｉは、上述した第１実施形態，第３実施形態，第４実施形態及び第６実施形態を組み合わせた構成となっている。また、この交換局３Ｉも、上述の交換局３Ｂ（図１６参照）と同様に、端末局１Ａからの畳み込み符号化処理を施された送信信号についてそれぞれ複数の基地局２−１〜２−３で畳み込み復号化処理を施した畳み込み復号化信号を受信するもので、データの誤り検出処理を複数の箇所（図２５においては３箇所）において行なっている。
【０１５７】
具体的に、この交換局３Ｉには、受信装置３１，フレーム分解装置３２，遅延装置３３，畳み込み符号化装置３４，第２合成装置３５′，畳み込み復号化装置３６，遅延装置３８Ａ，選択装置３９Ｃ，第１誤り検出装置４０′，誤り判定装置４１′，第１合成装置４５Ａ，遅延装置４６Ａ，第３誤り検出装置４７′，第２誤り検出装置４９，信号切換制御主要部５０及び制御部６０が設けられている。
【０１５８】
ここで、第１合成装置（第１合成部）４５Ａは、各基地局２−１〜２−３からの畳み込み復号化信号について、合成処理を施すものであり、第２合成装置（第２合成部）３５′は、畳み込み符号化装置３４からの畳み込み符号化信号について、合成処理を施すものである。
選択装置（信号選択部）３９Ｃは基地局２−１〜２−３からの受信信号，第１合成装置４５Ａからの合成信号，畳み込み復号化装置３６からの信号のいずれかを選択するものであり、後述する信号切換制御主要部５０からの出力に基づいて行なわれるようになっている。
【０１５９】
第１誤り検出装置（第１誤り検出部）４０′は、各基地局２−１〜２−３からの畳み込み復号化信号についてそれぞれ誤り検出を行なうものであり、第２誤り検出装置（第２誤り検出部）４９は第１合成装置４５Ａからの合成信号について誤り検出を行なうものであり、第３誤り検出装置４７′は畳み込み復号化装置３６からの信号について誤り検出を行なうものである。
【０１６０】
なお、遅延装置３８Ａ，４６Ａは上述の遅延装置３８（図１４，図１６，図１７参照）及び遅延装置４６（図１９参照）とほぼ同様に機能するものであり、誤り判定装置４１′も上述の誤り判定装置４１（図１６参照）とほぼ同様に機能すうものである。
また、信号切換制御主要部５０は、上述の第１誤り検出装置４０′，第２誤り検出装置４９及び第３誤り検出装置４７′における誤り検出有無情報に応じて選択装置３９Ｃにおける信号切換を制御するもので、誤り判定装置４１′及びこの信号切換制御主要部５０は、信号切換制御部５０Ａとして構成されている。
【０１６１】
具体的に、この信号切換制御部５０Ａは、第１誤り検出装置４０′，第２誤り検出装置４９及び第３誤り検出装置４７′からの検出結果を受けて、まず第１誤り検出装置４０′での検出結果を使用して、各基地局２−１〜２−３から受信した信号について誤りが検出されるかどうかの判定を行ない、各基地局２−１〜２−３から受信した信号のいずれかから誤りが検出されない場合は、基地局２−１〜２−３から受信した信号のうち、誤りのないものを選択装置３９Ｃから受信信号として出力させるとともに、各基地局２−１〜２−３から受信した信号の全てから誤りが検出されると、第２誤り検出装置４９での検出結果を使用して、合成信号から誤りが検出されるかどうかの判定を行ない、合成信号から誤りが検出されない場合は、合成信号を選択装置３９Ｃから受信信号として出力させ、合成信号から誤りが検出されると、第３誤り検出装置４７′での検出結果を使用して、畳み込み復号化装置３６からの信号について誤りが検出されるかどうかの判定を行ない、畳み込み復号処理を施した信号より誤りが検出されない場合には、この畳み込み復号処理を施した信号を選択装置３９Ｃから受信信号として出力させるように、選択装置３９Ｃでの信号切替制御を施すものである。
【０１６２】
さらに、この交換局３Ｉでは、畳み込み復号処理を施した信号より誤りが検出されると（第３誤り検出部において誤りが検出されると）、合成信号または基地局２−１〜２−３から受信した信号を受信信号として出力するようになっている。
つまり、この第１０実施形態における交換局３Ｉでは、この第３誤り検出装置４７′において誤りが検出された場合には、一段前において処理されたデータ（第１合成装置４５Ａからの合成信号）か、あるいは、２段前において処理されたデータ（遅延装置３３における基地局２−１〜２−３からの畳み込み復号化信号）が選択されて出力されるようになっている。
【０１６３】
即ち、この交換局３Ｉは、必要とされる複数箇所に誤り検出装置（第１誤り検出装置４０′，第２誤り検出装置４９及び第３誤り検出装置４７′）を設けることにより、信号の誤り検出状況に応じて、出力すべきデータを迅速に処理することができるようになっている。
上述の構成により、本発明の第１０実施形態における移動通信システムでは、図２５に示すように、端末局１Ａ及び基地局２−１〜２−３において所要の処理が施されたデータが交換局３Ｉに入力されると、交換局３Ｉにおいて、図２５に示すように、受信装置３１においてデータを受信し、フレーム分解装置３２においてデータを抽出したのち、遅延装置３３においてフレームナンバーを用いて信号遅延の補正を行なう。
【０１６４】
その後、遅延装置３３からの出力（基地局２−１〜２−３からの畳み込み復号化信号）により、第１誤り検出装置４０′において、各基地局２−１〜２−３からの畳み込み復号化信号について、それぞれ誤り検出を行ない、この誤り有無情報を誤り判定装置４１′へ出力する。
また、遅延装置３３からの出力により、第２誤り検出装置４９において、第１合成装置４５Ａにおいて合成された合成信号の誤り検出を行ない、この誤り有無情報を誤り判定装置４１′へ出力する。
【０１６５】
さらに、遅延装置３３からの出力により、第３誤り検出装置４７′において、畳み込み復号化装置３６において畳み込み復号化処理された畳み込み復号化信号の誤り検出を行ない、この誤り有無情報を誤り判定装置４１′へ出力する。
そして、誤り判定装置４１′では、第１誤り検出装置４０′，第２誤り検出装置４９及び第３誤り検出装置４７′からの検出結果を受けると、まず第１誤り検出装置４０′での検出結果を使用して、各基地局２−１〜２−３から受信した信号について誤りが検出されるかどうかの判定を行なう。
【０１６６】
その後、各基地局２−１〜２−３から受信した信号のいずれかから誤りが検出されない場合は、基地局２−１〜２−３から受信した信号のうち、誤りのなものを選択装置３９Ｃから受信信号として出力させるとともに（図２５において、遅延装置３３→遅延装置３８Ａ→選択装置３９Ｃ）、各基地局２−１〜２−３から受信した信号の全てから誤りが検出されると、第２誤り検出装置４９での検出結果を使用して、合成信号から誤りが検出されるかどうかの判定を行なう（図２５において、第１合成装置４５Ａ→第２誤り検出装置４９）。
【０１６７】
その後、第２誤り検出装置４９において、第１合成装置４５Ａからの合成信号から誤りが検出されない場合は、この合成信号を選択装置３９Ｃから受信信号として出力させ（第１合成装置４５Ａ→遅延装置４６Ａ→選択装置３９Ｃ）、合成信号から誤りが検出されると、第３誤り検出装置４７′での検出結果を使用して、畳み込み復号化装置３６からの信号について誤りが検出されるかどうかの判定を行なう（畳み込み復号化装置３６→第３誤り検出装置４７′）。
【０１６８】
また、畳み込み復号処理を施した信号より誤りが検出されない場合には、この畳み込み復号処理を施した信号を選択装置３９Ｃから受信信号として出力させる（畳み込み復号化装置３６→選択装置３９Ｃ）。
このように、本発明の第１０実施形態によれば、必要とされる複数箇所に誤り検出装置（第１誤り検出装置４０′，第２誤り検出装置４９及び第３誤り検出装置４７′）を設けているので、信号の誤り検出状況に応じて、出力すべきデータを迅速に処理することができるとともに、最良のデータを効率良く選択することできるので、装置全体の処理能力を大幅に向上させることができる利点がある。
【０１６９】
（ｋ）その他
なお、本発明の各実施形態に示した交換局における畳み込み復号化信号の誤り検出方法は、各実施形態において上述したものに限らず、少なくとも誤り検出の可能な位置に設定するようにすればよく、これにより、回線状態に応じて必要な回路を用いて装置を構成することができ、システム構築の際の柔軟性に大いに寄与しうる。
【０１７０】
また、上述の実施形態では、システム内に基地局が２つあるいは３つ存在する場合について詳述したが、４つ以上存在する場合も同様である。また、上述の各実施形態では、基地局上位装置として交換局を例にしたが、本発明はこれに限定されず、少なくとも、基地局と有線回線９を介して接続される装置であればよい。
【０１７１】
【発明の効果】
以上詳述したように、本発明によれば、基地局において畳み込み復号化処理された信号を基地局上位装置において再符号化合成処理を施すことができるので、サイトダイバシティ方式を用いながら、基地局と基地局上位装置との間における信号流量を増大させることなく、誤り率の改善を行なうことができ、移動通信システムにおいての伝送処理能力の向上に大いに寄与しうる（請求項１，１０）。
【０１７２】
また、本発明によれば、合成部において軟判定処理を行なうことができるので、誤り訂正復号化部において軟判定結果も利用した誤り訂正復号化処理を施すことができ、合成信号の信頼度を向上させることができるので、信号品質を向上させることができる（請求項１１）。
さらに、本発明によれば、移動端末局からの送信信号に誤り有無情報を付加することによって、上述と同様な効果が得られるだけでなく、データの誤り検出状況に応じた処理を行なえるようにしている。従って、より誤りの少ないデータを選択することが可能になり、この場合も、移動通信システムにおける伝送処理の向上に寄与する（請求項２，１２，１３）。
【０１７３】
また、本発明によれば、上述と同様の利点が得られるほか、基地局上位装置において入力データの誤り検出（判定）を行なうことができるので、端末局と基地局との間の無線回線における誤りのほかに、基地局と基地局上位装置との間の有線回線における誤りも含めて検出することができ、より精度の良い信号を出力することができる。従って、基地局上位装置における受信信号の信号品質を向上させることができる利点がある（請求項３，１４，１５）。
【０１７４】
さらに、本発明によれば、上述と同様の利点があるほか、基地局上位装置の誤り検出部において、各基地局からの誤り有無情報が全て合成されたものについて、一括して誤り検出を行なっているので、より品質の良い信号を得ることができる。また、データの誤り検出状況に応じた処理を行なうことができるので、より誤りの少ないデータを選択することが可能になり、この場合も、移動通信システムにおける伝送処理の向上に寄与する。
【０１７５】
また、誤り検出部を各基地局用に別個に設けることなく、共用化させることができるので、回路構成を縮小化することができる。従って、コストを削減することができるほか、ひいては移動伝送システム全体のコスト削減に寄与しうる（請求項１６，１７）。
さらに、本発明によれば、基地局上位装置の誤り検出部において、誤り訂正復号化部から出力される誤り訂正復号化信号について誤り検出を行なっているので、より誤り率の改善されたデータについての誤りを検出することができるとともに、この場合も、誤り検出部を別個に設けることなく、共用化させることができるので、コストを削減することができるほか、ひいては移動伝送システム全体のコスト削減に寄与しうる（請求項４，１８，１９）。
【０１７６】
また、本発明によれば、基地局上位装置の誤り検出部において、誤り訂正復号化部から出力される誤り訂正復号化信号について誤り検出を行なっているので、上述と同様の効果を得ることができるほか、合成部において各基地局からの誤り訂正復号化信号を合成しているので、１つの基地局からの畳み込み復号化信号を用いる場合に比べてより改善されたデータを出力することができる利点がある（請求項２０）。
【０１７７】
さらに、本発明によれば、基地局からの信号に誤り率の重み付けを行ないながら合成することができるので、上述と同様の効果がありながら、より精度の高いデータを得ることができ、この場合も本装置の性能を向上させることができる（請求項５，２１）。
また、本発明によれば、信頼度抽出部において、フレーム単位の信頼度情報も用いて再符号化合成処理を行なうことができるので、誤りが改善された精度の高いデータを得ることができる（請求項６，２２）。
【０１７８】
さらに、本発明によれば、上述と同様な効果があるだけでなく、信頼度抽出部において、ビット単位の信頼度情報も用いて再符号化合成処理を行なうとができるので、この場合も、誤りが改善された精度の高いデータを得ることができる（請求項７，２３）。
また、本発明によれば、必要とされる複数箇所に誤り検出部（第１誤り検出部，第２誤り検出部及び第３誤り検出部）を設けているので、信号の誤り検出状況に応じて出力するデータを容易に変更することができるとともに、最良のデータを効率良く選択することできるので、装置全体の処理能力を大幅に向上させることができる利点がある（請求項８，９，２４，２５）。
【図面の簡単な説明】
【図１】本発明の第１実施形態にかかる移動通信システムの構成を示すブロック図である。
【図２】本発明の第１実施形態にかかる移動通信システムの移動端末局及び複数の基地局の構成を示すブロック図である。
【図３】本発明の第１実施形態にかかるサイトダイバシティ受信方式を採用する移動通信システムにおける交換局の構成を示すブロック図である。
【図４】（ａ）〜（ｍ）はそれぞれ本発明の第１実施形態にかかる移動通信システムのデータ送信を説明するための図である。
【図５】本発明の第１実施形態にかかる誤り訂正符号化装置の一例を示すブロック図である。
【図６】本発明の第１実施形態にかかる交換局の合成部を示すブロック図である。
【図７】（ａ）〜（ｃ）はそれぞれ本発明の第１実施形態にかかる交換局の合成部の動作を説明するための図である。
【図８】（ａ），（ｂ）はそれぞれ本発明の第１実施形態にかかる交換局の合成部の動作を説明するためのフローチャートである。
【図９】本発明の第１実施形態にかかるシミュレーションにおける諸元の具体例を示す図である。
【図１０】本発明の第１実施形態にかかるシミュレーションに用いられた交換局の構成を示すブロック図である。
【図１１】本発明の第１実施形態にかかるシミュレーションの一例を示す図である。
【図１２】本発明の第１実施形態にかかるシミュレーションの一例を示す図である。
【図１３】本発明の第２実施形態にかかる移動通信システムの移動端末局及び複数の基地局の構成を示すブロック図である。
【図１４】本発明の第２実施形態にかかるサイトダイバシティ受信方式を採用する移動通信システムにおける交換局の構成を示すブロック図である。
【図１５】本発明の第３実施形態にかかる移動通信システムの移動端末局及び複数の基地局の構成を示すブロック図である。
【図１６】本発明の第３実施形態にかかるサイトダイバシティ受信方式を採用する移動通信システムにおける交換局の構成を示すブロック図である。
【図１７】本発明の第４実施形態にかかるサイトダイバシティ受信方式を採用する移動通信システムにおける交換局の構成を示すブロック図である。
【図１８】本発明の第５実施形態にかかるサイトダイバシティ受信方式を採用する移動通信システムにおける交換局の構成を示すブロック図である。
【図１９】本発明の第６実施形態にかかるサイトダイバシティ受信方式を採用する移動通信システムにおける交換局の構成を示すブロック図である。
【図２０】本発明の第７実施形態にかかるサイトダイバシティ受信方式を採用する移動通信システムにおける交換局の構成を示すブロック図である。
【図２１】本発明の第８実施形態にかかる移動通信システムの移動端末局及び基地局の構成を示すブロック図である。
【図２２】本発明の第８実施形態にかかるサイトダイバシティ受信方式を採用する移動通信システムにおける交換局の構成を示すブロック図である。
【図２３】本発明の第９実施形態にかかる移動通信システムの移動端末局及び基地局の構成を示すブロック図である。
【図２４】本発明の第９実施形態にかかるサイトダイバシティ受信方式を採用する移動通信システムにおける交換局の構成を示すブロック図である。
【図２５】本発明の第１０実施形態にかかるサイトダイバシティ受信方式を採用する移動通信システムにおける交換局の構成を示すブロック図である。
【図２６】サイトダイバシティ方式を適用した端末局と基地局との間における通信を説明するための概念図である。
【図２７】ＣＤＭＡ方式とサイトダイバシティ方式とを適用した移動通信システムの一例を示すブロック図である。
【図２８】ＣＤＭＡ方式とサイトダイバシティ方式とを適用した移動通信システムの一例を示すブロック図である。
【図２９】ＣＤＭＡ方式とサイトダイバシティ方式とを適用した移動通信システムの一例を示すブロック図である。
【符号の説明】
１，１Ａ，１０４，１１１  端末局（移動端末局）
２−１〜２−ｎ，２Ａ−１〜２Ａ−３，２Ｂ−１〜２Ｂ−３，２Ｃ−１〜２Ｃ−３，１０１，１０２，１１２−１〜１１２−ｎ  基地局
３，３Ａ，３Ｂ，３Ｃ，３Ｄ，３Ｅ，３Ｆ，３Ｇ，３Ｈ，３Ｉ，１１３  交換局
８  無線回線
９  有線回線（伝送回線）
１０  データ発生装置
１１，３４  畳み込み符号化装置（誤り訂正符号化部）
１２，２４，２４Ａ，２４Ｂ  フレーム生成装置
１３，２５  送信装置
１４  誤り検出符号付加装置
２１，３１  受信装置
２２，２２Ａ，２２Ｂ，３２，３２Ａ，３２Ｂ  フレーム分解装置
２３，３６  畳み込み復号装置（誤り訂正復号化部）
２６，４０，４３，４５，４７  誤り検出装置（誤り検出部）
２７  フレーム信頼度情報生成装置
２８  信頼度測定装置
３３，３３Ａ，３３Ｂ，３８，３８Ａ，４４，４６，４６Ａ  遅延装置
３５，３５Ａ，３５Ｂ，３５Ｃ，４２  合成装置（合成部）
３５′  第２合成装置（第２合成部）
３７，４１，４１′  誤り判定装置（誤り判定部）
３，３９Ａ，３９Ｂ  選択装置（ゲート部）
３９Ｃ  選択装置（信号選択部）
４０′  第１誤り検出装置（第１誤り検出部）
４２，４５Ａ  第１合成装置（第１合成部）
４７′  第３誤り検出装置（第３誤り検出部）
４８  誤り率測定装置（誤り率測定部）
３９  第２誤り検出装置（第２誤り検出部）
５０  信号切換制御主要部
５０Ａ  信号切換制御部
６０  制御部
１０３  ビル
１１０  ＣＤＭＡ通信システム
１１１ａ  誤り訂正符号器（ＥＮＣ:Encoder）
１１２ａ−１〜１１２ａ−ｎ，１２５ｂ  誤り訂正復号器（ＤＥＣ:Decoder）
１１３ａ，３００  選択部
１２５ａ  合成部
３２０  データ抽出部
３２１  フレームナンバー抽出部
３２２  誤り抽出部
３２３，３２３Ａ  信頼度抽出部
３４０ａ，３４０ｂ  排他的論理和演算器
３４１，３４２，３４３  シフトレジスタ（ＳＲ）
３５０  多数決判定部
３５１  軟判定部
【図１】
0003712812.tif 000002
【図２】
0003712812.tif 000003
【図３】
0003712812.tif 000004
【図４】
0003712812.tif 000005
【図５】
0003712812.tif 000006
【図６】
0003712812.tif 000007
【図７】
0003712812.tif 000008
【図８】
0003712812.tif 000009
【図９】
0003712812.tif 000010
【図１０】
0003712812.tif 000011
【図１１】
0003712812.tif 000012
【図１２】
0003712812.tif 000013
【図１３】
0003712812.tif 000014
【図１４】
0003712812.tif 000015
【図１５】
0003712812.tif 000016
【図１６】
0003712812.tif 000017
【図１７】
0003712812.tif 000018
【図１８】
0003712812.tif 000019
【図１９】
0003712812.tif 000020
【図２０】
0003712812.tif 000021
【図２１】
0003712812.tif 000022
【図２２】
0003712812.tif 000023
【図２３】
0003712812.tif 000024
【図２４】
0003712812.tif 000025
【図２５】
0003712812.tif 000026
【図２６】
0003712812.tif 000027
【図２７】
0003712812.tif 000028
【図２８】
0003712812.tif 000029
【図２９】
0003712812.tif 000030